(57)【要約】【課題】端末（ＵＥ）が行うアップリンクメッセージを送信する方法を提供する。【解決手段】端末が訪問セル履歴に関する要請を受信するステップ、及び、端末は、要請に応答して訪問セル履歴を伝送するステップを含むことができる。ここで、訪問セル履歴は、訪問セルの識別子及び訪問セルに該当する時間情報を含む。【選択図】図９
2016524419.tif 000002
【特許請求の範囲】
【請求項１】
端末により実行されるアップリンクメッセージの伝送方法であって、
前記端末が訪問セル履歴に関する要請を受信するステップと、
前記端末が前記要請に対する応答として前記訪問セル履歴を送信するステップと、
を有し、
前記セル訪問履歴は、訪問セルの識別子及び前記訪問セルに対応する時間情報を含むことを特徴とする方法。
【請求項２】
前記時間情報は、前記端末が前記訪問セルの前記識別子によって識別された各訪問セル内で費やした時間区間を示す、請求項１に記載の方法。
【請求項３】
セル識別子は、グローバルセル識別子及び物理的セル識別子のうち少なくとも１つを含む、請求項１に記載の方法。
【請求項４】
前記端末がグローバルセル識別子を得た場合には、セル識別子は前記グローバルセル識別子を含み、
前記端末が前記グローバルセル識別子を得ていない場合は、前記セル識別子は物理的セル識別子を含む、請求項１に記載の方法。
【請求項５】
前記端末が前記グローバルセル識別子を得ていない場合は、前記セル訪問履歴は周波数情報をさらに含む、請求項４に記載の方法。
【請求項６】
前記訪問セルに対応する前記時間情報は、
前記端末が前記訪問セルに滞在した時間、
前記端末がセル再選択手続きを実行したことにより、前記訪問セルを選択した時間、
前記端末がハンドオーバ手続きを実行したことにより、前記訪問セルにハンドオーバした時間、
のうちの少なくとも１つを含む、請求項１に記載の方法。
【請求項７】
前記端末がセル再選択手続きまたはハンドオーバ手続きを実行するときはいつでも、前記セル訪問履歴を蓄積するステップをさらに含む、請求項１に記載の方法。
【請求項８】
前記セル訪問履歴が有効であるか無効であるかを検査するステップをさらに含み、
前記送信するステップにおいて、有効な訪問セル履歴のみが送信される、請求項１に記載の方法。
【請求項９】
前記端末が対応するセルに滞在した時間が第１しきい値より少ない場合、または、
前記端末が前記訪問セル情報をロギングしてからの経過時間が第２しきい値を超える場合、
前記端末は訪問履歴が無効であると見なす、請求項８に記載の方法。
【請求項１０】
アップリンクメッセージを伝送する無線装置において、
訪問セル履歴に関する要請を受信するように構成された送受信機と、
前記要請に応答して、前記訪問セル履歴を送信するよう前記送受信機を制御するように構成されたプロセッサと、を含み、
前記セル訪問履歴は、訪問セルの識別子及び前記訪問セルに対応する時間情報を含むことを特徴とする無線装置。
【請求項１１】
前記時間情報は、前記端末が前記訪問セルの前記識別子によって識別された各訪問セルに滞在した時間区間を示す、請求項１０に記載の無線装置。
【請求項１２】
セル識別子は、グローバルセル識別子及び物理的セル識別子のうち少なくとも１つを含む、請求項１０に記載の無線装置。
【請求項１３】
無線装置がグローバルセル識別子を得た場合には、セル識別子は前記グローバルセル識別子を含み、
無線装置が前記グローバルセル識別子を得ていない場合は、前記セル識別子は物理的セル識別子を含む、請求項１０に記載の無線装置。
【請求項１４】
前記プロセッサは、前記セル訪問履歴が有効であるか無効であるかを検査するようにさらに構成され、
前記送信を行うとき、有効な訪問セル履歴のみが送信される、請求項１０に記載の無線装置。
【請求項１５】
前記端末が対応するセルに滞在した時間が第１しきい値より少ない場合、または、
前記端末が訪問セル情報をロギングしてからの経過時間が第２しきい値を超える場合、
前記端末は訪問履歴が無効であると見なす、請求項１４に記載の無線装置。
【発明の詳細な説明】
【技術分野】
【０００１】
本発明は無線通信に関し、より詳しくは、セル訪問履歴伝送方法及びその無線装備に関する。
【背景技術】
【０００２】
３ＧＰＰ（３ｒ  Ｇｅｎｅｒａｔｉｏｎ  Ｐａｒｔｎｅｒｓｈｉｐ  Ｐｒｏｊｅｃｔ）  ＬＴＥ（ｌｏｎｇ  ｔｅｒｍ  ｅｖｏｌｕｔｉｏｎ）は、ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）の向上されたバージョンであり、３ＧＰＰリリース（ｒｅｌｅａｓｅ）  ８として紹介されている。３ＧＰＰ  ＬＴＥは、最大４つのアンテナを有するＭＩＭＯ（ｍｕｌｔｉｐｌｅ  ｉｎｐｕｔ  ｍｕｌｔｉｐｌｅ  ｏｕｔｐｕｔ）を採用する。最近は、３ＧＰＰ  ＬＴＥから進化した３ＧＰＰ  ＬＴＥ−Ａ（ＬＴＥ−Ａｄｖａｎｃｅｄ）に関する論議が進行されている。
【０００３】
ＬＴＥ／ＬＴＥ−Ａにおいて、端末が複数のセルを通じて移動すると、端末は、アイドルモードでは選択／再選択手続きを行ったり、連結モードではハンドオーバ手続きを行う。
【０００４】
このような状況では、ネットワークが端末の速度を判断する必要がある。しかし、ネットワークが端末の速度を推定できる方法が存在していない。
【発明の概要】
【発明が解決しようとする課題】
【０００５】
そこで、本発明の目的は、ネットワークが端末の速度を推定できるようにすることである。
【課題を解決するための手段】
【０００６】
上記及び他の効果を得るため、そして本発明の目的によって、ここで具体化され広範囲に説明されたように、端末が訪問セルに対する蓄積された情報である訪問セル履歴をログするようにし、ＲＲＣ連結設定時またはその後にネットワークに訪問セル履歴を提供することで、ネットワークが端末の速度を推定することを支援することのできる解決方法が提供される。役立つ情報は端末が訪問セルで対やする時間情報であり得る。
【０００７】
より詳しくは、上記及び他の効果を得るため、そして本発明の目的によって、ここで具体化され広範囲に説明されたように、端末（ＵＥ）が行うアップリンクメッセージを伝送する方法が提供される。上記方法は端末が訪問セル履歴に関する要請を受信するステップと、端末が要請に応答して訪問セル履歴を伝送するステップを含むことができる。ここで、訪問セル履歴は、訪問セルの識別子及び訪問セルに該当する時間情報を含むことができる。
【０００８】
時間情報は、端末が訪問セルの識別子によって識別された各訪問セルで費やす時間を指示することができる。
【０００９】
セル識別子は、グローバルセル識別子（ｇｌｏｂａｌ ｃｅｌｌ ｉｄｅｎｔｉｆｉｅｒ）及び物理的セル識別子（ｐｈｙｓｉｃａｌ ｃｅｌｌ ｉｄｅｎｔｉｆｉｅｒ）のうち少なくとも１つを含む。
【００１０】
端末がグローバルセル識別子を得た場合には、セル識別子はグローバルセル識別子を含む。
【００１１】
しかし、端末がグローバルセル識別子を得ていない場合は、セル識別子は物理的セル識別子を含む。また、端末がグローバルセル識別子を得ていない場合は、セル訪問履歴は周波数情報をさらに含む。
【００１２】
訪問セルに該当する時間情報は、以下の時間のうち少なくとも１つを含む。端末が訪問セルに止まる時間、端末がセル再選択手続きを行い、訪問セルを選択した時間、及び、端末がハンドオーバ手続きを行い、訪問セルにハンドオーバした時間。
【００１３】
上記方法は、端末がセル再選択手続きまたはハンドオーバ手続きを行う際はいつでもセル訪問履歴を蓄積するステップをさらに含むことができる。
【００１４】
上記方法は、セル訪問履歴が有効であるか否かを検査するステップをさらに含むことができる。
【００１５】
従って、上記送信ステップにおいて、有効な訪問セル履歴のみが送信されることができる。
【００１６】
端末が該当セルに止まる時間が第１臨界値未満であるか、端末が訪問セル情報をロギングした後、経過時間が第２臨界値を超えた場合には、端末は訪問履歴が無効であると見なすことができる。
【００１７】
上記及び他の効果を得るため、そして本発明の目的によって、ここで具体化され広範囲に説明されたように、アップリンクメッセージを伝送する無線装置が提供される。上記無線装置は、訪問セル履歴に関する要請を受信するように構成された送受信機、及び、送受信機が要請に応答して訪問セル履歴を送信するよう制御するように構成されたプロセッサを含むことができる。ここで、訪問セル履歴は、訪問セルの識別子及び訪問セルに該当する時間情報を含む。
【図面の簡単な説明】
【００１８】
【図１】本発明が適用される無線通信システムを示す。
【図２】ユーザ平面に対する無線プロトコル構造を示す図である。
【図３】制御平面に対する無線プロトコル構造を示す図である。
【図４】３ＧＰＰ  ＬＴＥ−Ａ用の搬送波集成を使用する広帯域システムの一例を示す。
【図５】ＲＲＣ＿ＩＤＬＥにおける状態及び状態の変化、そして手続きを示す。
【図６】ＲＲＣ＿ＩＤＬＥにおける端末の動作の一例を示す。
【図７ａ】イントラＭＭＥ／サービングゲートウェイのハンドオーバ手続きを示す。
【図７ｂ】イントラＭＭＥ／サービングゲートウェイのハンドオーバ手続きを示す。
【図８】端末が複数のセルにおいてセル選択／再選択手続きを行う例示的な状況を示す。
【図９】本発明による例示的な解決方法を示す。
【図１０】本発明の実施形態を具現することができる無線通信システムを示すブロック図である。
【発明を実施するための形態】
【００１９】
本発明の好ましい実施形態について具体的に説明し、その例は添付された図面に示す。本発明の概念と範囲を超えない限り、多様な修正及び変更が可能であるということが本発明の属する技術分野における従事者には自明なはずである。そこで、修正及び変更は添付された請求項及びその同等な範囲内で行われる限り、本発明は発明の修正及び変更をカバーするように意図される。
【００２０】
添付された図面を参考しながら、実施形態によるセル訪問履歴送信方法及びその無線装置について詳しく説明する。
【００２１】
本発明は、ＵＭＴＳ（ｕｎｉｖｅｒｓａｌ  ｍｏｂｉｌｅ  ｔｅｌｅｃｏｍｍｕｎｉｃａｔｉｏｎ  ｓｙｓｔｅｍ）及びＥＰＣ（ｅｖｏｌｖｅｄ  ｐａｃｋｅｔ  ｃｏｒｅ）を基に説明される。しかし、本発明はこのような通信システムに制限されることはなく、本発明の技術的精神が適用される全ての種類の通信システム及び方法に適用されることもできる。
【００２２】
ここで使用される技術的用語は、特定の実施形態を説明するために使用されるだけであり、本発明を制限するのに使用されないということに注目しなければならない。また、特別に異ならせてに定義されない限り、ここで使用される技術的用語は本発明の属する分野における従事者が一般的に理解できるように解釈されなければならないが、広範囲過ぎたり、狭小過ぎるように解釈されてはならない。また、ここで使用される技術的用語は、本発明の精神を正確に表現できない間違った用語である場合、その用語は本発明の分野に属する従事者が適切に理解できるよう、技術的用語に取り替えなければならない。そして、本発明で使用される一般的な用語は、辞典の定義及び文脈に基づいて解釈されなければならず、広範囲過ぎたり、狭小過ぎるように解釈されてはならない。
【００２３】
しかし、そうでなく明らかに使用されていなければ、単数の表現は複数の意味を含む。本出願において、「含む」及び「有する」という用語は、ここに開示された全ての要素またはステップを必須に含むことと解釈されてはならず、要素またはステップの一部を含まないと解釈されなければならないか、別途の要素またはステップをさらに含むことと解釈されなければならない。
【００２４】
第１、第２などのように序数を含む、ここで使用される用語は、多様な構成要素を説明するのに使用されることができるが、上記構成要素は上記用語によって限定されることはない。上記用語は１つの構成要素を他の構成要素から区別する目的のみで使用される。例えば、第１構成要素は第２構成要素に命名されることができ、類似するように第２構成要素は第１構成要路に命名されることができる。
【００２５】
ある構成要素が他の構成要素に「連結されて」いたり、「接続されて」いる場合には、その他の構成要素に直接的に連結されていたり、または接続されていることもあり得るが、中間に他の構成要素が存在することもある。これに対し、ある構成要素が他の構成要素に「直接連結されて」いたり、「直接接続されて」いる場合には、中間に他の構成要素が存在しないことと理解されなければならない。
【００２６】
以下、本発明の好ましい実施形態を添付された図面を参照しながら詳しく説明し、図面符号と関係なく同一または類似した構成要素は同一な参照符号を与え、その重複説明は省略する。また、本発明の説明において、本発明が属する公知された技術に対する特定説明が本発明の要旨を曖昧にさせると判断されれば、詳しい説明は省略する。また、添付された図面は、本発明の精神を容易に説明するために示すだけであるという事実に注目しなければならず、本発明の図面によって本発明の精神を制限することと解釈されてはならない。本発明の精神は、添付された図面と他の全ての変更、同等物及び代替物まで拡張されることと解釈されなければならない。
【００２７】
添付された図面には端末（ｕｓｅｒ  ｅｑｕｉｐｍｅｎｔ、ＵＥ）が例示されるが、端末は、端末（ｔｅｒｍｉｎａｌ）、移動装備（ｍｏｂｉｌｅ  ｅｑｕｉｐｍｅｎｔ、ＭＥ）、移動局（ｍｏｂｉｌｅ  ｓｔａｔｉｏｎ、ＭＳ）、ユーザ端末（ｕｓｅｒ  ｔｅｒｍｉｎａｌ、ＵＴ）、加入者局（ｓｕｂｓｃｒｉｂｅｒ  ｓｔａｔｉｏｎ、ＳＳ）、無線装置（ｗｉｒｅｌｅｓｓ  ｄｅｖｉｃｅ、ＷＤ）、携帯装置（ｈａｎｄｈｅｌｄ  ｄｅｖｉｃｅ、ＨＤ）、接続端末（ａｃｃｅｓｓ  ｔｅｒｍｉｎａｌ、ＡＴ）などの用語で称することができる。そして、端末は、ノートパンコン、携帯電話、ＰＤＡ、スマートフォン、マルチメディア装置などのような携帯装置またはＰＣまたは車両装着装置のような非携帯装置として具現されることができる。
【００２８】
図１は、本発明が適用される無線通信システムを示す。
【００２９】
無線通信システムはまたＥ−ＵＴＲＡＮ（Ｅｖｏｌｖｅｄ−ＵＭＴＳ  Ｔｅｒｒｅｓｔｒｉａｌ  Ｒａｄｉｏ  Ａｃｃｅｓｓ  Ｎｅｔｗｏｒｋ）またはＬＴＥ（Ｌｏｎｇ  Ｔｅｒｍ  Ｅｖｏｌｕｔｉｏｎ）／ＬＴＥ−Ａシステムとも呼ばれることができる。
【００３０】
Ｅ−ＵＴＲＡＮは、少なくとも端末（１０；Ｕｓｅｒ  Ｅｑｕｉｐｍｅｎｔ、ＵＥ）に制御平面（ｃｏｎｔｒｏｌ  ｐｌａｎｅ）とユーザ平面（ｕｓｅｒ  ｐｌａｎｅ）とを提供する基地局（２０；Ｂａｓｅ  Ｓｔａｔｉｏｎ、ＢＳ）を含む。端末（１０）は、固定されたり移動性を有することができ、ＭＳ（Ｍｏｂｉｌｅ  ｓｔａｔｉｏｎ）、ＵＴ（Ｕｓｅｒ  Ｔｅｒｍｉｎａｌ）、ＳＳ（Ｓｕｂｓｃｒｉｂｅｒ  Ｓｔａｔｉｏｎ）、ＭＴ（ｍｏｂｉｌｅ  ｔｅｒｍｉｎａｌ）、無線器機（Ｗｉｒｅｌｅｓｓ  Ｄｅｖｉｃｅ）など他の用語で呼ばれることができる。基地局（２０）は、端末（１０）と通信する固定された地点（ｆｉｘｅｄ  ｓｔａｔｉｏｎ）を言い、ｅＮＢ（ｅｖｏｌｖｅｄ−ＮｏｄｅＢ）、ＢＴＳ（Ｂａｓｅ  Ｔｒａｎｓｃｅｉｖｅｒ  Ｓｙｓｔｅｍ）、アクセスポイント（Ａｃｃｅｓｓ  Ｐｏｉｎｔ）など他の用語で呼ばれることができる。
【００３１】
基地局（２０）は、Ｘ２インターフェースを通じて互いに連結されることができる。基地局（２０）は、Ｓ１インターフェースを通じてＥＰＣ（Ｅｖｏｌｖｅｄ  Ｐａｃｋｅｔ  Ｃｏｒｅ、３０）、より詳しくは、Ｓ１−ＭＭＥを通じてＭＭＥ（Ｍｏｂｉｌｉｔｙ  Ｍａｎａｇｅｍｅｎｔ  Ｅｎｔｉｔｙ）と、Ｓ１−Ｕを通じてＳ−ＧＷ（Ｓｅｒｖｉｎｇ  Ｇａｔｅｗａｙ）と連結される。
【００３２】
ＥＰＣ（３０）は、ＭＭＥ、Ｓ−ＧＷ及びＰ−ＧＷ（Ｐａｃｋｅｔ  Ｄａｔａ  Ｎｅｔｗｏｒｋ−Ｇａｔｅｗａｙ）で構成される。ＭＭＥは、端末の接続情報や端末の能力に関する情報を有しており、このような情報は端末の移動性管理に主に使用される。Ｓ−ＧＷは、Ｅ−ＵＴＲＡＮを終端点として有するゲートウェイである。Ｐ−ＧＷは、ＰＤＮを終端点として有するゲートウェイである。
【００３３】
端末とネットワークとの間の無線インターフェースプロトコル（Ｒａｄｉｏ  Ｉｎｔｅｒｆａｃｅ  Ｐｒｏｔｏｃｏｌ）の階層は、通信システムにおいて広く知られた開放型システム間の相互接続（Ｏｐｅｎ  Ｓｙｓｔｅｍ  Ｉｎｔｅｒｃｏｎｎｅｃｔｉｏｎ；ＯＳＩ）基準モデルの下位３カ階層を基にＬ１（第１階層）、Ｌ２（第２階層）、Ｌ３（第３階層）に区分されることができる。この中で第１階層に属する物理階層は、物理チャンネル（Ｐｈｙｓｉｃａｌ  Ｃｈａｎｎｅｌ）を用いた情報伝送サービス（Ｉｎｆｏｒｍａｔｉｏｎ  Ｔｒａｎｓｆｅｒ  Ｓｅｒｖｉｃｅ）を提供し、第３階層に位置するＲＲＣ（Ｒａｄｉｏ  Ｒｅｓｏｕｒｃｅ  Ｃｏｎｔｒｏｌ）階層は、端末とネットワークとの間に無線資源を制御する役割を行う。このために、ＲＲＣ階層は、端末と基地局間のＲＲＣメッセージを交換する。
【００３４】
図２は、ユーザ平面に対する無線プロトコル構造を示す図である。図３は、制御平面に対する無線プロトコル構造を示す図である。
【００３５】
ユーザ平面は、ユーザデータ伝送のためのプロトコルスタック（ｐｒｏｔｏｃｏｌ  ｓｔａｃｋ）である。制御平面は、制御信号伝送のためのプロトコルスタックである。
【００３６】
図２及び３を参照すると、物理階層（ＰＨＹ（ｐｈｙｓｉｃａｌ）  ｌａｙｅｒ）は、物理チャンネル（ｐｈｙｓｉｃａｌ  ｃｈａｎｎｅｌ）を用いて上位階層に情報伝送サービス（ｉｎｆｏｒｍａｔｉｏｎ  ｔｒａｎｓｆｅｒ  ｓｅｒｖｉｃｅ）を提供する。物理階層は、上位階層であるＭＡＣ（Ｍｅｄｉｕｍ  Ａｃｃｅｓｓ  Ｃｏｎｔｒｏｌ）階層とは伝送チャンネル（ｔｒａｎｓｐｏｒｔ  ｃｈａｎｎｅｌ）を通じて連結されている。伝送チャンネルを通じてＭＡＣ階層と物理階層との間でデータが移動する。伝送チャンネルは、無線インターフェースを通じてデータがどのようにどのような特徴で伝送されるかによって分類される。
【００３７】
互いに異なる物理階層の間、即ち送信機と受信機との物理階層の間では、物理チャンネルを通じてデータが移動する。前記物理チャンネルは、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）方式に変調されることができ、時間と周波数を無線資源として活用する。
【００３８】
ＭＡＣ階層の機能は、論理チャンネルと伝送チャンネル間のマッピング、及び論理チャンネルに属するＭＡＣ  ＳＤＵ（ｓｅｒｖｉｃｅ  ｄａｔａ  ｕｎｉｔ）の伝送チャンネル上に物理チャンネルに提供される伝送ブロック（ｔｒａｎｓｐｏｒｔ  ｂｌｏｃｋ）への多重化／逆多重化を含む。ＭＡＣ階層は、論理チャンネルを通じてＲＬＣ（Ｒａｄｉｏ  Ｌｉｎｋ  Ｃｏｎｔｒｏｌ）階層にサービスを提供する。
【００３９】
ＲＬＣ階層の機能は、ＲＬＣ  ＳＤＵの連結（ｃｏｎｃａｔｅｎａｔｉｏｎ）、分割（ｓｅｇｍｅｎｔａｔｉｏｎ）及び再結合（ｒｅａｓｓｅｍｂｌｙ）を含む。無線ベアラ（Ｒａｄｉｏ  Ｂｅａｒｅｒ；ＲＢ）が要求する多様なＱｏＳ（Ｑｕａｌｉｔｙ  ｏｆ  Ｓｅｒｖｉｃｅ）を保障するため、ＲＬＣ階層は透明モード（Ｔｒａｎｓｐａｒｅｎｔ  Ｍｏｄｅ、ＴＭ）、非確認モード（Ｕｎａｃｋｎｏｗｌｅｄｇｅｄ  Ｍｏｄｅ、ＵＭ）及び確認モード（Ａｃｋｎｏｗｌｅｄｇｅｄ  Ｍｏｄｅ、ＡＭ）の３つの動作モードを提供する。ＡＭ  ＲＬＣは、ＡＲＱ（ａｕｔｏｍａｔｉｃ  ｒｅｐｅａｔ  ｒｅｑｕｅｓｔ）を通じて誤謬訂正を提供する。
【００４０】
ユーザ平面におけるＰＤＣＰ（Ｐａｃｋｅｔ  Ｄａｔａ  Ｃｏｎｖｅｒｇｅｎｃｅ  Ｐｒｏｔｏｃｏｌ）階層の機能は、ユーザデータの伝達、ヘッダ圧縮及び暗号化を含む。制御平面におけるＰＤＣＰ階層の機能は、制御平面データの伝達及び暗号化／無欠性保護を含む。
【００４１】
ＲＲＣ（Ｒａｄｉｏ  Ｒｅｓｏｕｒｃｅ  Ｃｏｎｔｒｏｌ）階層は、制御平面でのみ定義される。ＲＲＣ階層は、無線ベアラの設定（ｃｏｎｆｉｇｕｒａｔｉｏｎ）、再設定（ｒｅ−ｃｏｎｆｉｇｕｒａｔｉｏｎ）及び解除（ｒｅｌｅａｓｅ）と関連して論理チャンネル、伝送チャンネル及び物理チャンネルの制御を担当する。ＲＢは、端末とネットワーク間のデータ伝達のために第１階層（ＰＨＹ階層）及び第２階層（ＭＡＣ階層、ＲＬＣ階層、ＰＤＣＰ階層）によって提供される論理的経路を意味する。
【００４２】
ＲＢが設定されるということは、特定サービスを提供するために無線プロトコル階層及びチャンネルの特性を規定し、それぞれの具体的なパラメータ及び動作方法を設定する過程を意味する。ＲＢはさらにＳＲＢ（Ｓｉｇｎａｌｉｎｇ  ＲＢ）とＤＲＢ（Ｄａｔａ  ＲＢ）との２つに分けられることができる。ＳＲＢは、制御平面においてＲＲＣメッセージを伝送する通路として使用される。ＤＲＢは、ユーザ平面においてユーザデータを伝送する通路として使用される。
【００４３】
端末のＲＲＣ階層とＥ−ＵＴＲＡＮのＲＲＣ階層との間にＲＲＣ連結（ＲＲＣ  Ｃｏｎｎｅｃｔｉｏｎ）が確立されると、端末はＲＲＣ連結（ＲＲＣ  ｃｏｎｎｅｃｔｅｄ）状態になり、そうでない場合、ＲＲＣアイドル（ＲＲＣ  ｉｄｌｅ）状態になる。
【００４４】
ダウンリンク伝送チャンネルを通じてネットワークから端末にデータが伝送される。ダウンリンク伝送チャンネルの例として、システム情報を伝送するＢＣＨ（Ｂｒｏａｄｃａｓｔ  Ｃｈａｎｎｅｌ）と、その他にユーザトラフィックや制御メッセージを伝送するダウンリンクＳＣＨ（Ｓｈａｒｅｄ  Ｃｈａｎｎｅｌ）がある。ダウンリンクマルチキャストまたはブロードキャストサービスのトラフィックまたは制御メッセージの場合、ダウンリンクＳＣＨを通じて伝送されることもでき、あるいは別途のダウンリンクＭＣＨ（Ｍｕｌｔｉｃａｓｔ  Ｃｈａｎｎｅｌ）を通じて伝送されることもできる。アップリンク伝送チャンネルを通じて端末からネットワークにデータが伝送される。アップリンク伝送チャンネルの例として、初期制御メッセージを伝送するＲＡＣＨ（Ｒａｎｄｏｍ  Ａｃｃｅｓｓ  Ｃｈａｎｎｅｌ）と、その他にユーザトラフィックや制御メッセージを伝送するアップリンクＳＣＨ（Ｓｈａｒｅｄ  Ｃｈａｎｎｅｌ）がある。
【００４５】
伝送チャンネルの上位にあり、伝送チャンネルにマッピングされる論理チャンネル（Ｌｏｇｉｃａｌ  Ｃｈａｎｎｅｌ）としては、ＢＣＣＨ（Ｂｒｏａｄｃａｓｔ  Ｃｏｎｔｒｏｌ  Ｃｈａｎｎｅｌ）、ＰＣＣＨ（Ｐａｇｉｎｇ  Ｃｏｎｔｒｏｌ  Ｃｈａｎｎｅｌ）、ＣＣＣＨ（Ｃｏｍｍｏｎ  Ｃｏｎｔｒｏｌ  Ｃｈａｎｎｅｌ）、ＭＣＣＨ（Ｍｕｌｔｉｃａｓｔ  Ｃｏｎｔｒｏｌ  Ｃｈａｎｎｅｌ）、ＭＴＣＨ（Ｍｕｌｔｉｃａｓｔ  Ｔｒａｆｆｉｃ  Ｃｈａｎｎｅｌ）などがある。
【００４６】
物理チャンネル（Ｐｈｙｓｉｃａｌ  Ｃｈａｎｎｅｌ）は、時間領域において複数のＯＦＤＭシンボルと周波数領域において複数の副搬送波（Ｓｕｂ−ｃａｒｒｉｅｒ）とで構成される。１つのサブフレーム（Ｓｕｂ−ｆｒａｍｅ）は、時間領域において複数のＯＦＤＭシンボル（Ｓｙｍｂｏｌ）で構成される。資源ブロックは資源の割り当て単位であり、複数のＯＦＤＭシンボルと複数の副搬送波（ｓｕｂ−ｃａｒｒｉｅｒ）とで構成される。また、各サブフレームは、ＰＤＣＣＨ（Ｐｈｙｓｉｃａｌ  Ｄｏｗｎｌｉｎｋ  Ｃｏｎｔｒｏｌ  Ｃｈａｎｎｅｌ）、即ち、Ｌ１／Ｌ２制御チャンネルのために該当サブフレームの特定ＯＦＤＭシンボル（例えば、１つ目のＯＦＤＭシンボル）の特定の副搬送波を用いることができる。ＴＴＩ（Ｔｒａｎｓｍｉｓｓｉｏｎ  Ｔｉｍｅ  Ｉｎｔｅｒｖａｌ）は、サブフレーム伝送の単位時間である。
【００４７】
以下、端末のＲＲＣ状態（ＲＲＣ  ｓｔａｔｅ）とＲＲＣ連結方法について詳述する。
【００４８】
ＲＲＣ状態とは、端末のＲＲＣ階層がＥ−ＵＴＲＡＮのＲＲＣ階層と論理的連結（ｌｏｇｉｃａｌ  ｃｏｎｎｅｃｔｉｏｎ）がなされているか否かを言う。２つの層が互いに連結されている場合はＲＲＣ連結状態、２つの層が互いに連結されていない場合はＲＲＣアイドル状態と呼ぶ。ＲＲＣ連結状態の端末は、ＲＲＣ連結が存在するため、Ｅ−ＵＴＲＡＮは該当端末の存在をセル単位で把握することができる。従って、端末は効果的に制御されることができる。これに対し、ＲＲＣアイドル状態の端末はＥ−ＵＴＲＡＮが把握することはできず、セルよりさらに大きな地域単位であるトラッキング領域単位でＣＮ（ｃｏｒｅ  ｎｅｔｗｏｒｋ）が管理する。即ち、ＲＲＣアイドル状態の端末は大きな地域単位で存在有無のみが把握される。音声やデータのような通常の移動通信サービスを受けるためには、ＲＲＣ連結状態に移動しなければならない。
【００４９】
ユーザが端末の電源を最初につけた際、端末は先ず適切なセルを探索した後、該当セルにおいてＲＲＣアイドル状態に留まる。ＲＲＣアイドル状態の端末は、ＲＲＣ連結を結ぶ必要がある際のみに初めてＲＲＣ連結過程を通じてＥ−ＵＴＲＡＮとＲＲＣ連結を確立し、ＲＲＣ連結状態に移り変わる。ＲＲＣアイドル状態にあった端末がＲＲＣ連結を結ぶ必要がある場合は様々あり、例えばユーザの通話試図などの理由でアップデータの伝送が必要になったり、それともＥ−ＵＴＲＡＮから呼出（ｐａｇｉｎｇ）メッセージを受信した場合にこれに対する応答メッセージの伝送などを挙げることができる。
【００５０】
ＲＲＣ階層の上位に位置するＮＡＳ（Ｎｏｎ−Ａｃｃｅｓｓ  Ｓｔｒａｔｕｍ）階層は、連結管理（Ｓｅｓｓｉｏｎ  Ｍａｎａｇｅｍｅｎｔ）と移動性管理（Ｍｏｂｉｌｉｔｙ  Ｍａｎａｇｅｍｅｎｔ）などの機能を行う。
【００５１】
それでは、無線リンク失敗について説明する。
【００５２】
端末は、サービスを受信するサービングセルとの無線リンクの品質維持のために持続的に測定を行う。端末は、サービングセルとの無線リンクの品質悪化によって現在状況で通信が不可能であるか否かを決定する。もしサービングセルの品質が低すぎて通信が殆ど不可能な場合、端末は現在状況を無線連結失敗と決定する。
【００５３】
もし無線リンク失敗が決定すると、端末は現在のサービングセルとの通信維持を諦め、セル選択（またはセル再選択）手続きを通じて新たなセルを選択し、新たなセルへのＲＲＣ連結再確立を試みる。
【００５４】
図４は、３ＧＰＰ  ＬＴＥ−Ａ用の搬送波集成を使用する広帯域システムの一例を示す。
【００５５】
成分搬送波（ＣＣ）は、その時の搬送波集成システムで使用される搬送波を意味し、簡単に搬送波と呼ばれることができる。
【００５６】
図４を参照すると、各成分搬送波（ＣＣ）は、３ＧＰＰ  ＬＴＥの帯域幅である２０ＭＨｚの帯域幅を有する。最大５つのＣＣが集成されることができ、１００ＭＨｚの最大帯域幅が構成されることができる。
【００５７】
搬送波集成システムは、集成搬送波が隣接する隣接搬送波集成システムと、集成された搬送波が互いに離れている非隣接搬送波集成システムとに分類されることができる。以下、簡単に搬送波集成システムと称すれば、成分搬送波が隣接した場合と制御チャンネルが非隣接する場合との全てを含むものと理解される必要がある。
【００５８】
１つ以上の成分搬送波が集成されると、成分搬送波は既存システムとの逆互換のための既存システムから採択された帯域幅を使用することができる。例えば、３ＧＰＰ  ＬＴＥシステムは１．４ＭＨｚ、３ＭＨｚ、５ＭＨｚ、１０ＭＨｚ、１５ＭＨｚ及び２０ＭＨｚの帯域幅を支援し、３ＧＰＰ  ＬＴＥ−Ａシステムは３ＧＰＰ  ＬＴＥシステムの帯域幅を使用して２０ＭＨｚ以上の広帯域を構成することができる。または、既存システムの帯域幅を使用するよりは、新たな帯域幅が広帯域を構成するように定義されることができる。
【００５９】
無線通信システムのシステム周波数帯域は、複数の搬送波周波数に分離される。ここで、搬送波周波数はセルのセル周波数を意味する。以下、セルはダウンリンク周波数資源及びアップリンク周波数資源を意味する。また、セルはダウンリンク周波数資源及び選択的アップリンク周波数資源の組み合わせであると言える。また、搬送波集成が考慮されない一般的な場合に、１つのセルは常にアップリンク周波数資源及びダウンリンク周波数資源の対を有することができる。
【００６０】
セルは、１次セル及び２次セル、そしてサービングセルに分類されることができる。
【００６１】
１次セルは、１次周波数で動作するセルを意味する。１次セルは、端末が基地局と初期連結確立手続きまたは連結再確立手続きを行うセルであるか、ハンドオーバ過程で１次セルとして指定されたセルである。
【００６２】
２次セルは、２次周波数で動作するセルを意味する。２次セルは、一旦ＲＲＣ連結が確立されると構成され、別途の無線資源を提供するのに使用される。
【００６３】
サービングセルは、搬送波集成が構成されない場合や端末が搬送波集成を提供しない場合に１次セルで構成される。搬送波集成が構成される場合、「サービングセル」という用語は端末に構成されるセルを示し、複数のサービングセルが含まれることができる。１つのサービングセルは１つのダウンリンク成分搬送波または一対の成分搬送波（ダウンリンク成分搬送波とアップリンク成分搬送波）で構成される。複数のサービングセルは、１次セルと１つ以上の全ての２次セルで構成されることができる。
【００６４】
１次成分搬送波（ＰＣＣ）は、１次セルに該当する成分搬送波（ＣＣ）を意味する。ＰＣＣは、複数のＣＣのうち、端末が初期に基地局と連結またはＲＲＣ連結をなすＣＣである。ＰＣＣは、複数のＣＣに関するシグナリングのための連結またはＲＲＣ連結を担当し、端末と係わる連結情報である端末状況情報（ＵＥ状況）を管理する特殊なＣＣである。また、ＰＣＣは端末と連結をなし、ＰＣＣは常にＲＲＣ連結モードである際に活性状態で維持される。１次セルに該当するダウンリンク成分搬送波はダウンリンク１次成分搬送波（ＤＬ  ＰＣＣ）と示し、１次セルに該当するアップリンク成分搬送波はアップリンク１次成分搬送波（ＵＬ  ＰＣＣ）と示す。
【００６５】
２次成分搬送波（ＳＣＣ）は、２次セルに該当するＣＣを意味する。即ち、ＳＣＣは端末に割り当てられ、ＰＣＣ以外に端末が追加の資源割り当てを行うように拡張された搬送波であるＰＣＣとは異なるＣＣである。ＳＣＣは活性状態または非活性状態で維持されることができる。２次セルに該当するダウンリンク成分搬送波はダウンリンク２次成分搬送波（ＤＬ  ＳＣＣ）と示し、２次セルに該当するアップリンク成分搬送波はアップリンク２次成分搬送波（ＵＬ  ＳＣＣ）と示す。
【００６６】
１次セル及び２次セルは、次のような特性を有する。
【００６７】
その一、１次セルはＰＵＣＣＨの伝送に使用される。その二、１次セルは２次セルが特定条件によって活性化／非活性化され得る間、常に活性化状態で維持される。その三、１次セルが無線リンク失敗（以下、「ＲＬＦ」）を経験した場合、ＲＲＣ再連結がトリガされる。その四、１次セルはＲＡＣＨ（ｒａｎｄｏｍ  ａｃｃｅｓｓ  ｃｈａｎｎｅｌ）手続きを含むハンドオーバ手続きまたは保安キーの変更によって異になる。その五、ＮＡＳ（ｎｏｎ−ａｃｃｅｓｓ  ｓｔｒａｔｕｍ）情報は１次セルを通じて受信される。その六、ＦＤＤシステムにおいて、１次セルは常にＤＬ  ＰＣＣ及びＵＬ  ＰＣＣの対を有する。その七、他の成分搬送波（ＣＣ）は各端末において１次セルに設定される。その八、１次セルはハンドオーバまたはセル選択／セル再選択手続きを通じてのみ交替されることができる。新たなサービングセルを追加する際、ＲＲＣシグナリングは専用サービングセルのシステム情報を送信するのに使用される。
【００６８】
サービングセルを構成する場合、ダウンリンク成分搬送波は１つのサービングセルを形成することができるか、ダウンリンク成分搬送波及びアップリンク成分搬送波は連結されて１つのサービングセルを構成する。しかし、サービングセルは１つのアップリンク成分搬送波単独で構成されることはない。
【００６９】
成分搬送波の活性化／非活性化は概念的にサービングセルの活性化／非活性化と同一である。例えば、サービングセル１がＤＬ  ＣＣ１で構成されると仮定すれば、サービングセル１はＤＬ  ＣＣ１の活性化を意味しない。サービングセル２がＤＬ  ＣＣ２とＵＬ  ＣＣ２を連結して構成されれば、サービングセル２の活性化はＤＬ  ＣＣ２とＵＬ  ＣＣ２の活性化／非活性化を意味する。このような意味で、各成分搬送波はサービングセルに該当することができる。
【００７０】
図５は、ＲＲＣ＿ＩＤＬＥにおける状態及び状態の変化、そして手続きを示す。
【００７１】
端末は、セル選択及び再選択の目的で測定を行う。ＮＡＳは例えば、選択されたＰＬＭＮと結合した（複数の）ＲＡＴを指示したり、（複数の）禁止された登録領域のリスト及び同等なＰＬＭＮのリストを維持することで、セル選択が行わなければならない（複数の）ＲＡＴを制御することができる。端末は、アイドルモード測定及びセル選択基準を基に適切なセルを選択する。
【００７２】
セル選択の過程を加速化するため、複数のＲＡＴに対する保存された情報は端末で使用されることができる。
【００７３】
セル進入の際、端末はセル選択の基準によってより優れたセルを定期的に検索することができる。より優れたセルが発見されれば、該当セルが選択される。セルの変更はＲＡＴの変更を意味し得る。セル再選択に対する性能要求事項の詳細は［１０］に見つけることができる。
【００７４】
セル選択及び再選択がＮＡＳに係わる受信システム情報を変更させるということが分かっている。
【００７５】
正常なサービスのために、端末は適当なセルに進入して次を行うことができるようにセルの（複数の）制御チャンネルに同調することができる。
−ＰＬＭＮからシステム情報を受信。
−ＰＬＭＮから登録領域情報、例えば、追跡領域情報を受信。
−他のＡＳ及びＮＡＳ情報を受信。
−登録された場合、
−ＰＬＭＮから呼出及び通報メッセージを受信。
−連結モードへの伝送初期化。
【００７６】
一方、図５を参照すると、新たなＰＬＭＮ選択がどこで行われても１番に出るようになる。
【００７７】
図６は、ＲＲＣ＿ＩＤＬＥにおける端末の動作の一例を示す。
【００７８】
端末が初期につけられた後、必要であれば、セル選択を通じてネットワークを登録し、セル再登録を行う手続きが図６に示されている。
【００７９】
図６を参照すると、端末は、端末がステップＳ５０においてサービスを受けたいＰＬＭＮと通信するＲＡＴ（ｒａｄｉｏ  ａｃｃｅｓｓ  ｔｅｃｈｎｏｌｏｇｙ）を選択する。ＰＬＭＮ及びＲＡＴに対する情報は端末によって選択されることができる。端末はＵＳＩＭ（ｕｎｉｖｅｒｓａｌ  ｓｕｂｓｃｒｉｂｅｒ  ｉｄｅｎｔｉｔｙ  ｍｏｄｕｌｅ）に保存された情報を使用することができる。
【００８０】
端末は、ステップＳ５１において、所定の値よりも高い品質を有する測定されたＢＳ及びセルのうち最も高いセルを選択する。このような手続きは初期セル選択手続きと言い、つけられた端末によって行われる。セル選択手続きは後述する。セル選択の後、端末は、周期的にＢＳからシステム情報を受信する。所定の値はデータ送信／受信の際に物理的信号品質を確保する通信システムに定義された値である。従って、所定の値は各所定の値が適用されるＲＡＴによって変わる。
【００８１】
端末は、ステップＳ５２において、ネットワーク登録手続きを行うか否かを決定する。端末は、ステップＳ５３において、ネットワーク登録手続きを行う。端末は、ネットワークによってサービスされる自己情報（例えば、ＩＭＳＩ）を登録する（例えば、呼出）。端末は、セルを選択する度に自己情報を登録する。ネットワークに関する端末の自体情報、例えば、トラッキング領域アイデンティティ（ＴＡＩ）がシステム情報から提供されたネットワークに関する情報と異なる場合に、端末はネットワーク登録手続きを行う。
【００８２】
端末にサービスを提供するＢＳから測定された信号強度または信号品質の値が隣り合うセルのＢＳから測定された値よりも小さければ、端末は、端末にサービスを提供するよりも優れた信号特性を提供する他のセルのうち１つを選択することができる。このような手続きは初期セル選択手続きから区別された初期セル再選択手続きと言う。信号特性の変化によって端末が頻繁にセル再選択手続きを行うことを防止するための時間的な制約が存在し得る。セル再選択手続きは後述する。
【００８３】
端末は、ステップＳ５４において、セル再選択手続きを行う。セル再選択手続きは後述する。新たなセルが選択されれば、端末は、ステップＳ５２において説明された手続きを行うことができる。新たなセルが選択されなければ、端末は、セル再選択手続きを再度行うことができる。
【００８４】
セル選択手続きを詳しく説明する。
【００８５】
端末がつけられたり、セルに進入すると、端末は、適当な品質を有するセルを選択してサービスを受けるように手続きを行うことができる。
【００８６】
ＲＲＣ＿ＩＤＬＥの端末は、常に適当な品質を有するセルを選択し、セルを通じてサービスを受けるように準備する必要がある。例えば、つけられたばかりの端末は、ネットワークに登録されるように適当な品質を有するセルを選択しなければならない。ＲＲＣ＿ＣＯＮＮＥＣＴＥＤに止まる端末は、ＲＲＣ＿ＩＤＬＥを開始すれば、端末は端末自体が進入するセルを選択しなければならない。このように、ＲＲＣ＿ＩＤＬＥのようなサービス待機状態に止まるよう端末によって特定条件を満たすセルを選択する手続きはセル選択と言う。端末はＲＲＣ＿ＩＤＬＥで進入するセルをこれまで決定していない状態でセル選択が行われるので、できるだけ早くセルを選択することが非常に重要である。従って、セルが所定のレベルよりも大きいか同等な無線信号品質を提供すれば、セルは最高の無線信号品質を提供するセルでなくとも、セルはセル選択手続きで選択されることができる。
【００８７】
以下、３ＧＰＰ  ＬＴＥにおいて端末がセルを選択する方法及び手続きを詳しく説明する。電源が初期につけられると、端末は、有効なＰＬＭＮを検索し、適当なＰＬＭＮを選択してサービスを受ける。次いで、端末は、選択されたＰＬＭＮが提供するセルのうち、適当なサービスを受けることのできる信号品質及び特性を有するセルを選択する。
【００８８】
端末は、次の２つのセル選択手続きのうち１つを使用することができる。
【００８９】
１）初期セル選択：このような手続きは、ＲＦチャンネルがＥ−ＵＴＲＡ搬送波であるという事前知識を必要としない。端末は、適当なセルを探すため、性能によってＥ−ＵＴＲＡ帯域で全てのＲＦチャンネルをスキャンすることができる。各搬送波周波数において、端末は最も強力なセルの検索のみを必要とする。一旦適当なセルが発見されれば、該当セルが選択されることができる。
【００９０】
２）保存された情報セル選択：この手続きは、保存された搬送波周波数情報を必要とし、且つ、予め受信された測定制御情報要素または予め探知されたセルから選択的にセルパラメータに対する情報を必要とする。一旦端末が適当なセルを発見すれば、端末は発見したセルを選択することができる。一旦適当なセルが発見されなければ、初期セル選択手続きが開始されることができる。
【００９１】
セル選択過程において、端末が使用するセル選択基準（Ｓ）は、次のように表すことができる。
【数１】
2016524419.tif 000003
ここで：  Ｓｒｘｌｅｖ  ＝  Ｑｒｘｌｅｖｍｅａｓ  −  （Ｑｒｘｌｅｖｍｉｎ  ＋  Ｑｒｘｌｅｖｍｉｎｏｆｆｓｅｔ）  −  Ｐｃｏｍｐｅｎｓａｔｉｏｎ
Ｓｑｕａｌ  ＝  Ｑｑｕａｌｍｅａｓ  −  （Ｑｑｕａｌｍｉｎ  ＋  Ｑｑｕａｌｍｉｎｏｆｆｓｅｔ）
【表１】
2016524419.tif 000004
【００９２】
正常にＶＰＬＭＮに進入しながら、セルはより高い優先順位のＰＬＭＮの周期的検索の結果としてセル選択に対して評価する場合、シグナリング値Ｑｒｘｌｅｖｍｉｎｏｆｆｓｅｔ及びＱｑｕａｌｍｉｎｏｆｆｓｅｔは適用されるだけである。このようなより高い優先順位ＰＬＭＮの周期的検索の間、端末はより高い優先順位ＰＬＭＮの他のセルから保存されたパラメータ値を使用するセルのＳ基準を検査する。
【００９３】
セル再選択手続きを詳しく説明する。
【００９４】
端末がセル選択手続きを通じて特定セルを選択した後、端末と基地局との間の信号強度及び品質は、端末移動性及び無線環境の変化によって変わることができる。従って、選択されたセルの品質が低下すれば、端末はより優れた品質を提供する他のセルを選択することができる。このようにセルが再選択されると、一般的に現在選択されたセルよりも優れた信号品質を提供するセルが選択される。このような手続きをセル再選択と言う。セル再選択手続きの基本的な目的は、一般的に無線信号品質の観点で端末に最高の品質を提供するセルを選択することである。
【００９５】
無線信号品質の観点と共に、ネットワークは、各周波数別に決定された優先順位を端末に通報することができる。優先順位を受信した端末は、セル再選択手続きの過程で無線信号品質基準よりも優先的に決定された優先順位を考慮することができる。
【００９６】
上述したように、無線環境の信号特性を基にセルを選択または再選択する方法がある。セルがセル再選択手続きで再選択されると、セルのＲＡＴ及び周波数特性を基に上述したようなセル再選択方法があり得る。
【００９７】
−周波数内セル再選択：再選択されたセルは、端末が現在進入したセルで使用されたことと同一な中心周波数及びＲＡＴを有するセルである。
【００９８】
−周波数間セル再選択：再選択されたセルは、端末が現在進入したセルで使用されたことと同一なＲＡＴ及び他の中心周波数を有するセルである。
【００９９】
−ＲＡＴ内のセル再選択：再選択されたセルは、端末が現在進入したセルで使用されたＲＡＴとは異なるＲＡＴを使用するセルである。
【０１００】
一般的に、セル再選択手続きは以下のようである。
１）端末は、ＢＳからセル再選択手続きに関するパラメータを受信する。
２）端末は、セル再選択のためにサービングセル及び隣り合うセルの品質を測定する。
３）セル再選択手続きは、セル再選択基準によって行われる。サービングセル及び隣り合うセルの測定に対するセル再選択基準は、次のような特性を有する。
【０１０１】
−周波数内セル再選択は、基本的にランキングに基づく。ランキングは、セル再選択の評価のための基準値を定義し、基準値を使用して、基準値の大きさに応じてセルを整列する動作である。最高の基準を有するセルを最高ランキングセルと言う。セル基準値は、周波数オフセットまたはセルオフセットが該当セルに対して端末が測定した値を基に選択的に適用される値である。
【０１０２】
−周波数間セル再選択は、ネットワークが提供する周波数順位に基づく。端末は、最高の優先順位を有する周波数で進入を試みる。ネットワークは、ブロードキャストシグナリングを使用してセルで端末に共通して適用される同一な周波数優先順位を与えるか、各端末別で専用シグナリングを使用して各端末に周波数特定優先順位を付えることができる。ブロードキャストシグナリングが与えるセル再選択優先順位を共通優先順位と言う。ネットワークが各端末別で割り当てるセル再選択優先順位を専用優先順位と言う。端末が専用優先順位を受信すると、端末はさらに専用優先順位の有効期間を共に受信する。専用優先順位の受信時、端末が受信された有効期間に設定された有効タイマーを開始する。有効タイマーが作動する間、端末はＲＲＣ＿ＩＤＬＥで専用優先順位を適用する。有効タイマーが満了すると、端末は専用優先順位を削除し、これによって、共通優先順位を適用する。
【０１０３】
−周波数間セル再選択のために、ネットワークは、各周波数別でセル再選択の際に使用するパラメータ（例えば、周波数特定オフセット）を端末に提供することができる。
【０１０４】
−周波数内セル再選択または周波数間セル再選択のために、ネットワークは、セル再選択の際に使用する隣り合うセルリスト（ＮＣＬ）を端末に提供することができる。ＮＣＬは、セル再選択の際に使用されるセル特定パラメータ（例えば、セル特定オフセット）を含む。
【０１０５】
−周波数内または周波数間セル再選択のために、ネットワークは、ブラックリスト、例えば、セル再選択の際に選択されていないセルのリストを端末に提供することができる。端末は、ブラックリストに含まれたセルに対するセル再選択を行う。
【０１０６】
再選択優先順位処理を説明する。３ＧＰＰ  ＴＳ  ３６．３０４  Ｖ１０．５．０  （２０１２−０３）の５．２．４．１節を参照する。
【０１０７】
他のＥ−ＵＴＲＡＮ周波数またはＲＡＴ間周波数の絶対優先順位は、システム情報、ＲＲＣＣｏｎｎｅｃｔｉｏｎＲｅｌｅａｓｅメッセージ、またはＲＡＴ間セル（再）選択において他のＲＡＴから受け継いで端末に提供されることができる。システム情報の場合に、Ｅ−ＵＴＲＡＮ周波数またはＲＡＴ間周波数は、優先順位を与えずに（例えば、ｃｅｌｌＲｅｓｅｌｅｃｔｉｏｎＰｒｉｏｒｉｔｙフィールドは該当周波数で存在しない）列挙されることができる。優先順位が専用シグナリングで与えられると、端末はシステム情報から提供される全ての優先順位を無視することができる。端末が所定のセル状態に進入すると、端末は、現在のセルからシステム情報が与える優先順位を適用できるだけであり、これとは異なって明示されない場合、専用シグナリングが与えた優先順位を維持する。正常状態に進入した端末が現在の周波数に対して異なる専用周波数のみを有すれば、端末は現在の周波数を最低優先順位周波数（例えば、８つのネットワーク構成値よりも小さい）と見なすことができる。端末が適当なＣＳＧセルに進入した状態で、端末は、該当周波数に割り当てられた何れか異なる優先順位に関係なく、現在の周波数を最高優先順位の周波数（例えば、８つのネットワーク構成値よりも高い）と見なすことができる。端末が関心のあるＭＢＭＳ（ｍｕｌｔｉｍｅｄｉａ  ｂｒｏａｄｃａｓｔ  ｍｕｌｔｉｃａｓｔ  ｓｅｒｖｉｃｅ）が提供される周波数を知っていれば、ＭＢＭＳセッションの間に該当周波数が最高優先順位になると見なすことができる。端末は、次のような場合に専用シグナリングが与える優先順位を削除することができる。
−端末がＲＲＣ＿ＣＯＮＮＥＣＴＥＤ状態に進入する、または、
−専用優先順位の選択的有効時間（Ｔ３２０）が満了する、または、
−ＮＡＳの要請によってＰＬＭＮ選択が行われる。
【０１０８】
端末は、システム情報から与えられたＥ−ＵＴＲＡＮ周波数及びＲＡＴ間周波数、そして端末に与えられた優先順位を有することに対するセル再選択評価を行うことができるだけである。端末は、ブラックリストに列挙されたセルもセル再選択のための候補として見なすことができない。端末は、ＲＡＴ間セル（再）選択の際に構成されれば、専用シグナリングが提供した優先順位及び残余有効時間（例えば、Ｅ−ＵＴＲＡでＴ３２０、ＵＴＲＡでＴ３２２、及びＧＥＲＡＮでＴ３２３０）を受け継ぐことができる。
【０１０９】
以下、セル再選択測定規則を説明する。
【０１１０】
再選択の目的で非サービングセルのＳｒｘｌｅｖ及びＳｑｕａｌを評価すると、端末はサービングセルが提供するパラメータを使用する。
【０１１１】
次のような規則は、必要な測定を制限するために端末によって使用されることができる。
【０１１２】
−サービングセルがＳｒｘｌｅｖ  ＞  ＳＩｎｔｒａＳｅａｒｃｈＰ及びＳｑｕａｌ  ＞  ＳＩｎｔｒａＳｅａｒｃｈＱを満たせば、端末は、周波数内測定を行わないように選択することができる。
【０１１３】
−そうでなければ、端末は周波数内測定を行う。
【０１１４】
−端末は、システム情報で指示されたＥ−ＵＴＲＡＮインター周波数及びインターＲＡＴ周波数、そして端末が５．２．４．１で定義されたように与えられた優先順位を有することに対する次のような規則を適用する。
【０１１５】
−現在のＥ−ＵＴＲＡ周波数の再選択優先順位よりも高い再選択優先順位を有するＥ−ＵＴＲＡＮインター周波数及びインターＲＡＴ周波数に対し、端末は、さらに高いＥ−ＵＴＲＡＮインター周波数及びインターＲＡＴ周波数の測定を行う。
【０１１６】
−現在のＥ−ＵＴＲＡ周波数の再選択優先順位と同等あるいはより低い再選択優先順位を有するＥ−ＵＴＲＡＮインター周波数と、現在のＥ−ＵＴＲＡＮの再選択優先順位よりもさらに低い再選択優先順位を有するインターＲＡＴ周波数に対し、
−サービングセルがＳｒｘｌｅｖ  ＞  ＳｎｏｎＩｎｔｒａＳｅａｒｃｈＰ及びＳｑｕａｌ  ＞  ＳｎｏｎＩｎｔｒａＳｅａｒｃｈＱを満たせば、端末は、同等あるいはより低い優先順位のＥ−ＵＴＲＡＮインター周波数またはインターＲＡＴ周波数セルの測定を行わないように選択することができる。
【０１１７】
−そうでなければ、端末は［１０］によって同等あるいはより低い優先順位のＥ−ＵＴＲＡＮインター周波数またはインターＲＡＴ周波数セルの測定を行う。
【０１１８】
ここで、端末の移動性状態に関して説明する。
【０１１９】
パラメータ（ＴＣＲｍａｘ、ＮＣＲ＿Ｈ、ＮＣＲ＿Ｍ  ａｎｄ  ＴＣＲｍａｘＨｙｓｔ）がサービングセルのシステム情報ブロードキャストから伝送されれば、正常移動性状態、高い移動性状態及び中間移動性状態は適用可能である。
【０１２０】
状態感知の基準は、中間移動性状態の基準及び高い移動性状態の基準を含む。
【０１２１】
中間移動性状態の基準：
−ＴＣＲｍａｘ期間の間、セル再選択の個数がＮＣＲ＿Ｍを超え、ＮＣＲ＿Ｈを超えない場合
【０１２２】
高い移動性状態の基準：
−ＴＣＲｍａｘ期間の間、セル再選択の個数がＮＣＲ＿Ｈを超える場合
【０１２３】
端末は、同一なセルが１つの他の再選択の直後に再選択されれば、２つの同一なセルの間の連続的な再選択を移動性状態探知の基準として見なさない。
【０１２４】
状態変異の際、端末は、
−高い移動性状態の基準が探知されれば、
−高い移動性状態に進入する。
【０１２５】
−そうでなく、中間移動性状態の基準が探知されれば、
−中間移動性状態に進入する。
【０１２６】
−そうでなく、ＴＣＲｍａｘＨｙｓｔの期間の間、中間または高い移動性状態の基準が探知されなければ、
−正常移動性状態に進入する。
【０１２７】
端末が高いまたは中間移動性状態にあれば、端末は速度依存スケーリング規則を適用する。
【０１２８】
端末は、次のようなスケーリング規則を適用する。
【０１２９】
−中間または高い移動性状態が探知されなければ、
−スケーリングが適用されない。
【０１３０】
−高い移動性状態が探知されれば、
−システム情報上に伝送されれば、Ｑｈｙｓｔに対する速度依存スケーリング因子のｓｆ−ＨｉｇｈをＱｈｙｓｔに追加する。
【０１３１】
−システム情報上に伝送されれば、Ｅ−ＵＴＲＡＮセルはＴｒｅｓｅｌｅｃｔｉｏｎＥＵＴＲＡをＴｒｅｓｅｌｅｃｔｉｏｎＥＵＴＲＡに対する速度依存スケーリング因子のｓｆ−Ｈｉｇｈに掛ける。
【０１３２】
−システム情報上に伝送されれば、ＵＴＲＡＮセルはＴｒｅｓｅｌｅｃｔｉｏｎＵＴＲＡをＴｒｅｓｅｌｅｃｔｉｏｎＵＴＲＡに対する速度依存スケーリング因子のｓｆ−Ｈｉｇｈに掛ける。
【０１３３】
−システム情報上に伝送されれば、ＧＥＲＡＮセルはＴｒｅｓｅｌｅｃｔｉｏｎＧＥＲＡをＴｒｅｓｅｌｅｃｔｉｏｎＧＥＲＡ状態に対する速度依存スケーリング因子のｓｆ−Ｈｉｇｈに掛ける。
【０１３４】
−システム情報上に伝送されれば、ＣＤＭＡ２０００  ＨＲＰＤセルはＴｒｅｓｅｌｅｃｔｉｏｎＣＤＭＡ＿ＨＲＰＤをＴｒｅｓｅｌｅｃｔｉｏｎＣＤＭＡ＿ＨＲＰＤに対する速度依存スケーリング因子のｓｆ−Ｈｉｇｈに掛ける。
【０１３５】
−システム情報上に伝送されれば、ＣＤＭＡ２０００  １ｘＲＴＴセルはＴｒｅｓｅｌｅｃｔｉｏｎＣＤＭＡ＿１ｘＲＴＴをＴｒｅｓｅｌｅｃｔｉｏｎＣＤＭＡ＿１ｘＲＴＴに対する速度依存スケーリング因子のｓｆ−Ｈｉｇｈに掛ける。
【０１３６】
−中間移動性状態が探知されれば、
−システム情報上に伝送されれば、Ｑｈｙｓｔに対する速度依存スケーリング因子のｓｆ−  ＭｅｄｉｕｍをＱｈｙｓｔに追加する。
【０１３７】
−システム情報上に伝送されれば、Ｅ−ＵＴＲＡＮセルはＴｒｅｓｅｌｅｃｔｉｏｎＥＵＴＲＡをＴｒｅｓｅｌｅｃｔｉｏｎＥＵＴＲＡに対する速度依存スケーリング因子のｓｆ−  Ｍｅｄｉｕｍに掛ける。
【０１３８】
−システム情報上に伝送されれば、ＵＴＲＡＮセルはＴｒｅｓｅｌｅｃｔｉｏｎＵＴＲＡをＴ  ＴｒｅｓｅｌｅｃｔｉｏｎＵＴＲＡに対する速度依存スケーリング因子のｓｆ−  Ｍｅｄｉｕｍに掛ける。
【０１３９】
−システム情報上に伝送されれば、ＧＥＲＡＮセルはＴｒｅｓｅｌｅｃｔｉｏｎＧＥＲＡをＴｒｅｓｅｌｅｃｔｉｏｎＧＥＲＡに対する速度依存スケーリング因子のｓｆ−  Ｍｅｄｉｕｍに掛ける。
【０１４０】
−システム情報上に伝送されれば、ＣＤＭＡ２０００  ＨＲＰＤセルはＴｒｅｓｅｌｅｃｔｉｏｎＣＤＭＡ＿ＨＲＰＤをＴｒｅｓｅｌｅｃｔｉｏｎＣＤＭＡ＿ＨＲＰＤに対する速度依存スケーリング因子のｓｆ−  Ｍｅｄｉｕｍに掛ける。
【０１４１】
−システム情報上に伝送されれば、ＣＤＭＡ２０００  １ｘＲＴＴセルはＴｒｅｓｅｌｅｃｔｉｏｎＣＤＭＡ＿１ｘＲＴＴをＴｒｅｓｅｌｅｃｔｉｏｎＣＤＭＡ＿１ｘＲＴＴに対する速度依存スケーリング因子のｓｆ−  Ｍｅｄｉｕｍに掛ける。
【０１４２】
スケーリングがＴｒｅｓｅｌｅｃｔｉｏｎＲＡＴパラメータに適用される場合、端末は、最短時間内に全てのスケーリング後の結果を集める。
【０１４３】
ここで、セル予約及び接近制約を有するか、正常な進入に不適当なセルについて論議する。
【０１４４】
絶対優先順位再選択の基準によって、最善のセルに対するセル再選択の基準による最高ランキングセル（サービングセルを含む）に対し、端末は規則に従って接近が制限されるか否かを検査する。
【０１４５】
該当セルと他のセルが候補リストから除外されると、端末はこのようなセルをセル再選択の候補として考慮しない。このような制限は最高ランキングのセルが変更されると除去される。
【０１４６】
絶対優先順位再選択規則に従って最高ランキングセルまたは最善のセルが「ローミングに対して禁止されたＴＡｓリスト」の一部であるか、登録されたＰＬＭＮに同等であると指示されていないＰＬＭＮに含まれるため適当ではない周波数内または周波数間のセルであれば、端末は、同一な周波数上の該当セル及び他のセルを最大３００ｓの間再選択の候補として見なさない。端末が所定のセル選択を開始すれば、如何なる制限も除去される。端末がＥ−ＵＴＲＡＮの制御下にタイマーが作動する周波数に制限されれば、該当周波数に対する如何なる制限も除去される。
【０１４７】
絶対優先順位再選択規則に従って最高ランキングセルまたは最善のセルが「ローミングに対して禁止されたＴＡｓリスト」の一部であるか、登録されたＰＬＭＮに同等であると指示されていないＰＬＭＮに含まれるため適当ではないＲＡＴ間のセルであれば、端末は、同一な周波数上の該当セル及び他のセルを最大３００ｓの間再選択の候補として見なさない。ＵＴＲＡの場合、より多くの要求事項が［８］に定義される。端末が所定のセル選択を開始すれば、如何なる制限も除去される。端末がＥ−ＵＴＲＡＮの制御下にタイマーが作動する周波数に制限されれば、該当周波数に対する如何なる制限も除去される。
【０１４８】
絶対優先順位再選択規則に従って最高ランキングセルまたは最善のセルがＣＳＧ  ＩＤ及び端末のＣＳＧホワイトリストに存在しない関連ＰＬＭＮ  ＩＤのため適当ではないＣＳＧセルであれば、端末は、同一な周波数上の該当セルを再選択の候補として見なさないが、同一な周波数上の他のセルをセル再選択の候補として見なし続ける。
【０１４９】
ここで、Ｅ−ＵＴＲＡＮ周波数間及びＲＡＴ間のセル再選択基準を説明する。
【０１５０】
ＴｈｒｅｓｈＳｅｒｖｉｎｇＬｏｗＱがＳｙｓｔｅｍＩｎｆｏｒｍａｔｉｏｎＢｌｏｃｋＴｙｐｅ３に提供されれば、次のような場合に、サービング周波数よりもさらに高い優先順位のＥ−ＵＴＲＡＮ周波数またはＲＡＴ間周波数上のセルのセル再選択が行われる。
【０１５１】
−さらに高い優先順位ＥＵＴＲＡＮ  ｏｒ  ＵＴＲＡＮ  ＦＤＤ  ＲＡＴ／周波数のセルは、ＴｒｅｓｅｌｅｃｔｉｏｎＲＡＴの時間区間の間Ｓｑｕａｌ  ＞  ＴｈｒｅｓｈＸ、ＨｉｇｈＱを満たす、または、
−さらに高い優先順位ＵＴＲＡＮ  ＴＤＤ、ＧＥＲＡＮ  ｏｒ  ＣＤＭＡ２０００  ＲＡＴ／周波数のセルは、ＴｒｅｓｅｌｅｃｔｉｏｎＲＡＴの時間区間の間Ｓｒｘｌｅｖ  ＞  ＴｈｒｅｓｈＸ、ＨｉｇｈＰを満たす、そして、
−端末が現在のサービングセルに進入した後、１秒以上経過する。
【０１５２】
そうでなければ、次のような場合に、サービング周波数よりもさらに高い優先順位のＥ−ＵＴＲＡＮ周波数またはＲＡＴ間周波数上のセルのセル再選択が行われる。
【０１５３】
−さらに高い優先順位ＲＡＴ／周波数のセルは、ＴｒｅｓｅｌｅｃｔｉｏｎＲＡＴの時間区間の間Ｓｒｘｌｅｖ  ＞  ＴｈｒｅｓｈＸ、ＨｉｇｈＰを満たす、そして、
−端末が現在のサービングセルに進入した後、１秒以上経過する。
【０１５４】
同等な優先順位のＥ−ＵＴＲＡＮ周波数上のセルのセル再選択は、周波数内セル再選択に対するランキングを基に行われる。
【０１５５】
ＴｈｒｅｓｈＳｅｒｖｉｎｇＬｏｗＱがＳｙｓｔｅｍＩｎｆｏｒｍａｔｉｏｎＢｌｏｃｋＴｙｐｅ３に提供されれば、次のような場合に、サービング周波数よりもさらに低い優先順位のＥ−ＵＴＲＡＮ周波数またはＲＡＴ間周波数上のセルのセル再選択が行われる。
【０１５６】
−サービングセルはｆｕｌｆｉｌｓ  Ｓｑｕａｌ  ＜  ＴｈｒｅｓｈＳｅｒｖｉｎｇ、ＬｏｗＱを満たし、さらに低い優先順位ＥＵＴＲＡＮ  ｏｒ  ＵＴＲＡＮ  ＦＤＤ  ＲＡＴ／周波数のセルはＴｒｅｓｅｌｅｃｔｉｏｎＲＡＴの時間区間の間Ｓｑｕａｌ  ＞  ＴｈｒｅｓｈＸ、ＬｏｗＱを満たす、または、
−サービングセルはｆｕｌｆｉｌｓ  Ｓｑｕａｌ  ＜  ＴｈｒｅｓｈＳｅｒｖｉｎｇ、ＬｏｗＱを満たし、さらに低い優先順位ＵＴＲＡＮ  ＴＤＤ、ＧＥＲＡＮ  ｏｒ  ＣＤＭＡ２０００  ＲＡＴ／周波数のセルはＴｒｅｓｅｌｅｃｔｉｏｎＲＡＴの時間区間の間Ｓｒｘｌｅｖ  ＞  ＴｈｒｅｓｈＸ、ＬｏｗＰを満たす、そして、
−端末が現在のサービングセルに進入した後、１秒以上経過する。
【０１５７】
そうでなければ、次のような場合に、サービング周波数よりもさらに低い優先順位のＥ−ＵＴＲＡＮ周波数またはＲＡＴ間周波数上のセルのセル再選択が行われる。
【０１５８】
−サービングセルはｆｕｌｆｉｌｓ  Ｓｒｘｌｅｖ  ＜  ＴｈｒｅｓｈＳｅｒｖｉｎｇ、ＬｏｗＰを満たし、さらに低い優先順位ＲＡＴ／周波数のセルはＴｒｅｓｅｌｅｃｔｉｏｎＲＡＴの時間区間の間Ｓｒｘｌｅｖ  ＞  ＴｈｒｅｓｈＸ、ＬｏｗＰを満たし、
−端末が現在のサービングセルに進入した後、１秒以上経過する。
【０１５９】
互いに異なる優先順位の多数のセルがセル再選択基準を満たせば、さらに高い優先順位のＲＡＴ／周波数に対するセル再選択は、さらに低い優先順位のＲＡＴ／周波数に優先する。
【０１６０】
ｃｄｍａ２０００  ＲＡＴｓに関し、Ｓｒｘｌｅｖは、評価されたセルから測定された値を参照したＥｃ／Ｉｏを使用して、［１８］に定義されたように０．５ｄＢ単位の−ＦＬＯＯＲ（−２  ｘ  １０  ｘ  ｌｏｇ１０  Ｅｃ／Ｉｏ）と同等である。
【０１６１】
ｃｄｍａ２０００  ＲＡＴｓに関し、ＴｈｒｅｓｈＸ、ＨｉｇｈＰ及びＴｈｒｅｓｈＸ、ＬｏｗＰは、システム情報内の該当パラメータに対してシグナリングされた値の−１倍と同等である。
【０１６２】
上記のモード基準において、ＴｒｅｓｅｌｅｃｔｉｏｎＲＡＴの値は、５．２．４．３．１項に定義されたように端末が中間または高い移動性状態にある際に測定される。１つ以上のセルが上記の基準を満たせば、端末は次のようにセルを再選択する。
【０１６３】
−さらに高い優先順位の周波数がＥ−ＵＴＲＡＮ周波数であれば、（複数の）最高の優先順位周波数上において、セルのうち最善のセルとしてランクされたセルは基準を満たす。
【０１６４】
−さらに高い優先順位の周波数が他のＲＡＴから生成された場合、（複数の）最高の優先順位周波数上において、セルのうち最善のセルとしてランクされたセルは該当ＲＡＴの基準を満たす。
【０１６５】
端末が支援するシステム情報によって提供された全ての他のＲＡＴからのＥ−ＵＴＲＡＮにＳｑｕａｌ（ＲＳＲＱ）基盤セル再選択を支援すれば、Ｓｑｕａｌ基盤セル再選択パラメータがシステム情報でブロードキャストされる他のＲＡＴに対するセル再選択が行われる。そうでなければ、他のＲＡＴに対するセル再選択はＳｒｘｌｅｖ基準を基に行われる。
【０１６６】
ここで、イントラ周波数及び同等優先順位周波数間セル再選択基準を説明する。
【０１６７】
サービングセルに対するセルランキング基準Ｒｓ及び隣り合うセルに対するセルランキング基準Ｒｎは、次のように定義される。
【数２】
2016524419.tif 000005
【表２】
2016524419.tif 000006
【０１６８】
端末は、セル選択基準（Ｓ）を満たす全てのセルのランキングを行うが、許容しない端末によって知られた全てのＣＳＧセルを除くことができる。
【０１６９】
セルは、Ｑｍｅａｓ、ｎ及びＱｍｅａｓ、ｓを引き出して平均化したＲＳＲＰ結果を使用したＲ値を計算して、上記明示されたＲ基準によってランクされる。
【０１７０】
セルが最善のセルとしてランクされれば、端末はセルに対するセル再選択を行う。該当セルが適当ではないと発見されれば、端末は上記論議された動作を行う。
【０１７１】
全ての場合に、次のような条件を満足さえすれば、端末は新たなセルを再選択する。
−新たなセルは、ＴｒｅｓｅｌｅｃｔｉｏｎＲＡＴの時間区間の間、サービングセルよりもさらに高くランクされる。
−端末が現在のサービングセルに進入した後、１秒以上経過する。
【０１７２】
ここで、システム情報でブロードキャストされたセル再選択パラメータを論議する。
【０１７３】
セル再選択パラメータは、次のようにシステム情報でブロードキャストされ、サービングセルから読み取られる。
【表３】
2016524419.tif 000007
【０１７４】
下記の表４は、上記のような速度依存再選択パラメータを表す。端末の移動性状態は速度依存再選択パラメータに基づいて推定されることができ、速度依存スケーリング規則は端末の移動性状態に基づいて適用されることができる。
【表４】
2016524419.tif 000008
【０１７５】
ここで、ＣＳＧセルを用いたセル再選択を論議する。
【０１７６】
その一、非ＣＳＧセルからＣＳＧセルへのセル再選択は、下記のように説明される。
【０１７７】
正常なセル再選択だけでなく、端末は、関連ＰＬＭＮ  ＩＤを有する少なくとも１つのＣＳＧ  ＩＤがＵＥのＣＳＧホワイトリストに含まれれば、［１０］に明示された性能要求事項に従ってＲＡＴ間周波数を含む非サービング周波数上の少なくとも予め訪問が許されたＣＳＧセルを探知する自律的な検索機能を使用する。端末はまた、サービング周波数上で自律的な検索を使用することができる。端末は、端末のホワイトリストが空いていれば、ＣＳＧセルに対する自律的な検索機能を非活性化する。
【０１７８】
端末具現当たりの端末自律的な検索機能は、いつ、そして／またはどこで許されたＣＳＧセルを検索するかを決定する。
【０１７９】
端末は、他の周波数上で１つ以上の適当なＣＳＧセルを探知すると、関連ＣＳＧセルが該当周波数上で最も高くランクされたセルである場合、その時に端末は現在進入したセルの周波数優先順位に関係なく探知されたセルのうち１つを再選択する。
【０１８０】
端末は、同一な周波数上で適当なＣＳＧセルを探知すると、端末は正常な再選択規則に従って該当セルを再選択する。
【０１８１】
端末は、他のＲＡＴ上に１つ以上の適当なＣＳＧセルを探知すると、端末はこれらのうち１つを再選択する。
【０１８２】
その二、ＣＳＧセルからのセル再選択は、下記のように説明される。
【０１８３】
適当なＣＳＧセルに進入する間、端末は、正常なセル再選択規則を適用する。
【０１８４】
非サービング周波数上の適当なＣＳＧセルを検索するため、端末は自律的な検索機能を使用することができる。端末が非サービング周波数上でＣＳＧセルを探知すると、端末は、ＣＳＧセルがその周波数上で最も高くランクされたセルである場合、探知されたＣＳＧセルを再選択することができる。
【０１８５】
端末は、他のＲＡＴ上に１つ以上の適当なＣＳＧセルを探知すると、端末はこれらのうち１つを再選択する。
【０１８６】
その三、複合セルを用いたセル再選択は、下記のように説明される。
【０１８７】
正常なセル再選択だけでなく、端末は、性能要求事項によってＣＳＧ  ＩＤと関連ＰＬＭＮ  ＩＤがＵＥの  ＣＳＧホワイトリストにある少なくとも予め訪問複合セルを探知する自律的な検索機能を使用する。端末は、複合セルのＣＳＧ  ＩＤ及び関連ＰＬＭＮ  ＩＤが端末のＣＳＧホワイトリストに存在すればＣＳＧセルとして、そうでなければ正常セルとして探知された複合セルを処理する。
【０１８８】
図７ａ及び７ｂは、イントラＭＭＥ／サービングゲートウェイのハンドオーバ手続きを示す。
【０１８９】
ＲＲＣ＿ＣＯＮＮＥＣＴＥＤ状態において、端末のイントラＥ−ＵＴＲＡＮ  ＨＯは端末関連ネックワーク−制御ＨＯであり、Ｅ−ＵＴＲＡでＨＯ準備シグナリングを有する：
【０１９０】
−ＨＯ命令の一部はターゲットｅＮＢから来て、ソースｅＮＢによって端末に透明にフォワードされる；
【０１９１】
−ＨＯを準備するため、ソースｅＮＢは全ての必要な情報をターゲットｅＮＢ（例えば、Ｅ−ＲＡＢ属性及びＲＲＣコンテキスト）に通過させる；
【０１９２】
−ＣＡがターゲットｅＮＢでＳＣｅｌｌ選択のできるように構成された場合、ソースｅＮＢは最上のセルのリストで無線品質及び選択的測定結果を降順で提供することができる；
【０１９３】
−ソースｅＮＢと端末の何れも一部のコンテキスト（例えば、Ｃ−ＲＮＴＩ）を維持することで、ＨＯ失敗の場合に端末の復帰を可能にする；
【０１９４】
−端末は、専用ＲＡＣＨプリアンブルを用いた無競争手続き、または、専用ＲＡＣＨプリアンブルを使用することができなければ、競争基盤手続きによるＲＡＣＨを経由して対象セルにアクセスする；
【０１９５】
−端末は、ハンドオーバ手続きが完了するまで（成功有無に関係なく）専用プリアンブルを使用する；
【０１９６】
−ターゲットセルに対するＲＡＣＨ手続きが一定時間以内に成功しなければ、端末は適切なセルを使用して無線リンク誤謬復旧を初期化する；
【０１９７】
−何れのＲＯＨＣコンテキストもハンドオーバで伝達されない；
【０１９８】
−ＲＯＨＣコンテキストは、同一なｅＮＢ内においてハンドオーバで維持されることができる。
【０１９９】
ＨＯ手続きの準備及び実行ステップはＥＰＣの係わりなしに行われ、例えば、準備メッセージは直接ｅＮＢ間で交換される。ＨＯ完成ステップの際、ソース側における資源の解除はｅＮＢによってトリガされる。ＲＮが係わる場合、そのＤｅＮＢは、ＲＮとＭＭＥ（Ｓ１基盤のハンドオーバ）との間の適切なＳ１メッセージ及び、ＲＮと対象ｅＮＢ（Ｘ２基盤のハンドオーバ）との間のＸ２メッセージをリレーし、ＤｅＮＢは、Ｓ１プロキシ及びＸ２プロキシ機能によってＲＮに連結された端末に明示的に認識される。
【０２００】
そこで、図６を参照しながら、ＭＭＥでもサービングゲートウェイでもない基本ハンドオーバシナリオを説明することとする。
【０２０１】
ステップ０）ソースｅＮｏｄｅＢ（ｅＮＢ）内の端末コンテキストは、連結設定や最後のＴＡアップデートに提供されたローミング制限に関する情報を含めている。
【０２０２】
ステップ１）ソースｅＮｏｄｅＢ領域制限情報による端末測定手続きを構成する。ソースｅＮｏｄｅＢによって提供された測定は、端末の連結移動性を制御する機能を支援することができる。
【０２０３】
ステップ２）測定レポート（ＭＥＡＳＵＲＥＭＥＮＴ  ＲＥＰＯＲＴ）は、トリガされてｅＮｏｄｅＢに伝送される。
【０２０４】
ステップ３）ソースｅＮｏｄｅＢは、測定レポート及びＲＲＭ情報に基づいて決定を出し、端末をハンドオフさせる。
【０２０５】
ステップ４）ソースｅＮｏｄｅＢは、必要な情報を伝達する対象ｅＮｏｄｅＢにハンドオーバ要請（ＨＡＮＤＯＶＥＲ  ＲＥＱＵＥＳＴ）メッセージを発行して、対象側（ソースｅＮｏｄｅＢでＵＥ  Ｘ２シグナリングコンテキストレファレンス、ＵＥ  Ｓ１  ＥＰＣコンテキストレファレンス、対象セルＩＤ、ＫｅＮｏｄｅＢ  ＊、ソースｅＮｏｄｅＢ内で端末のＣ−ＲＮＴＩを含むＲＲＣコンテキスト、ＡＳ−構成、Ｅ−ＲＡＢコンテキスト及びソースセルの物理階層ＩＤ＋可能なＲＬＦ復旧のための短いＭＡＣ−Ｉ）にＨＯを準備させる。ＵＥ  Ｘ２／ＵＥ  Ｓ１シグナリングレファレンスは対象ｅＮｏｄｅＢにソースｅＮｏｄｅＢ及びＥＰＣをアドレスさせる。Ｅ−ＲＡＢコンテキストは、必要ＲＮＬ及びＴＮＬアドレス情報及びＥ−ＲＡＢのＱｏＳプロファイルを含む。
【０２０６】
ステップ５）許容制御（Ａｄｍｉｓｓｉｏｎ  Ｃｏｎｔｒｏｌ）は、受信されたＥ−ＲＡＢ  ＱｏＳ情報に応じて対象ｅＮｏｄｅＢにより行われ、もし資源が対象ｅＮｏｄｅＢによって与えられることができれば、成功的なＨＯの可能性を高くすることができる。対象ｅＮｏｄｅＢは受信されたＥ−ＲＡＢ  ＱｏＳ情報によって要求される資源をなし、Ｃ−ＲＮＴＩ及び任意にＲＡＣＨプリアンブルを保有する。対象セルに使用されるＡＳ−構成は独立して指定（即ち、「設定」）されるか、ソースセルで使用されるＡＳ−構成に比べてデルタに指定（即ち、「再構成」）されることができる。
【０２０７】
ステップ６）対象ｅＮｏｄｅＢ  Ｌ１／Ｌ２でＨＯを準備し、ハンドオーバ要請確認（ＨＡＮＤＯＶＥＲ  ＲＥＱＵＥＳＴ  ＡＣＫＮＯＷＬＥＤＧＥ）をソースｅＮｏｄｅＢに伝送する。ハンドオーバ要請確認メッセージはＲＲＣメッセージであって、端末に送られる透明コンテナを含めてハンドオーバを行う。コンテナは、新たなＣ−ＲＮＴＩ、選択された保安アルゴリズムの対象ｅＮｏｄｅＢ保安アルゴリズム識別子を含み、専用ＲＡＣＨプリアンブル及びアクセスパラメータ、ＳＩＢのようなできるだけ異なるパラメータを含むことができる。ハンドオーバ要請確認メッセージは、必要に応じてフォワーディングトンネルに対するＲＮＬ／ＴＮＬ情報も含むことができる。
【０２０８】
ソースｅＮｏｄｅＢがハンドオーバ要請確認を受信するか、ハンドオーバ命令の伝送がダウンリンクで初期化されると直ぐにデータフォワーディングは初期化されることができる。
【０２０９】
ステップ７）対象ｅＮｏｄｅＢ  ＲＲＣメッセージを生成してハンドオーバ、ｍｏｂｉｌｉｔｙＣｏｎｔｒｏｌＩｎｆｏｒｍａｔｉｏｎを含むＲＲＣＣｏｎｎｅｃｔｉｏｎＲｅｃｏｎｆｉｇｕｒａｔｉｏｎメッセージをソースｅＮｏｄｅＢによって端末に伝送する。ソースｅＮｏｄｅＢは、必要な無欠性保護及びメッセージの暗号化を行う。端末は、必要パラメータ（即ち、新たなＣ−ＲＮＴＩ、対象ｅＮｏｄｅＢ保安アルゴリズム識別子、及び任意に専用ＲＡＣＨプリアンブル、対象ｅＮｏｄｅＢ  ＳＩＢなど）でＲＲＣＣｏｎｎｅｃｔｉｏｎＲｅｃｏｎｆｉｇｕｒａｔｉｏｎメッセージを受信し、ソースｅＮｏｄｅＢが指揮してＨＯを行う。端末は、ソースｅＮｏｄｅＢにＨＡＲＱ／ＡＲＱ応答を伝達するためのハンドオーバ実行を遅延する必要がない。
【０２１０】
ステップ８）ソースｅＮｏｄｅＢは、ＳＮ  ＳＴＡＴＵＳ  ＴＲＡＮＳＦＥＲメッセージを対象ｅＮｏｄｅＢに伝送することで、アップリンクＰＤＣＰ  ＳＮ受信機の状態及びＰＤＣＰ状態保存が適用されるＥ−ＲＡＢのダウンリンクＰＤＣＰ  ＳＮ送信機の状態を伝達する（即ち、ＲＬＣ  ＡＭ）。アップリンクＰＤＣＰ  ＳＮ受信機の状態は第１ミッシングＵＬ  ＳＤＵの少なくともＰＤＣＰ  ＳＮを含み、ＵＥに任意のＳＤＵが存在する場合、ＵＥが対象セルで再伝送しなければならないシーケンスＵＬ  ＳＤＵ以外の受信状態のビットマップを含むことができる。ダウンリンクＰＤＣＰ  ＳＮ送信機の状態が、対象ｅＮｏｄｅＢが未だＰＤＣＰ  ＳＮを有しない新規ＳＤＵに割り当てる次のＰＤＣＰ  ＳＮを示す。ソースｅＮｏｄｅＢは、端末のＥ−ＲＡＢのうち１つもＰＤＣＰ状態保存に処理されることができない際、このメッセージの送信を省略することができる。
【０２１１】
ステップ９）ｍｏｂｉｌｉｔｙＣｏｎｔｒｏｌＩｎｆｏｒｍａｔｉｏｎを含むＲＲＣＣｏｎｎｅｃｔｉｏｎＲｅｃｏｎｆｉｇｕｒａｔｉｏｎメッセージを受信した後、端末は対象ｅＮｏｄｅＢとの同期化を行い、専用プリアンブルがｍｏｂｉｌｉｔｙＣｏｎｔｒｏｌＩｎｆｏｒｍａｔｉｏｎに表示される場合は非競争手続きによって、または、専用プリアンブルが表記されない場合は競争基盤手続きによって、ＲＡＣＨを通じて対象セルにアクセスする。端末は対象ｅＮｏｄｅＢ特定キーを導出し、対象セルで使用される選択された保安アルゴリズムを構成する。
【０２１２】
ステップ１０）対象ｅＮｏｄｅＢは、ＵＬ割り当て及びタイミングアドバンスに応答する。
【０２１３】
ステップ１１）端末が成功的に対象セルにアクセスする際、端末は、できる度にアップリンクバッファ状態のレポートと共に、ハンドオーバを確認するためにＲＲＣＣｏｎｎｅｃｔｉｏｎＲｅｃｏｎｆｉｇｕｒａｔｉｏｎＣｏｍｐｌｅｔｅメッセージ（Ｃ−ＲＮＴＩ）を伝送することで、ハンドオーバ手続きが端末に対して完了したことを対象ｅＮｏｄｅＢに示す。対象ｅＮｏｄｅＢは、ＲＲＣＣｏｎｎｅｃｔｉｏｎＲｅｃｏｎｆｉｇｕｒａｔｉｏｎＣｏｍｐｌｅｔｅメッセージから伝送されたＣ−ＲＮＴＩを確認する。対象ｅＮｏｄｅＢはこれより端末にデータの伝送を開始することができる。
【０２１４】
ステップ１２）対象ｅＮｏｄｅＢは、ＵＥがセルを変更したことを知らせるためにＭＭＥにＰＡＴＨ  ＳＷＩＴＣＨ  ＲＥＱＵＥＳＴメッセージを伝送する。
【０２１５】
ステップ１３）ＭＭＥは、サービングゲートウェイにＭＯＤＩＦＹ  ＢＥＡＲＥＲ  ＲＥＱＵＥＳＴメッセージを伝送する。
【０２１６】
ステップ１４）サービングゲートウェイは、対象側に対するダウンリンクデータ経路を変換する。サービングゲートウェイは、ソースｅＮｏｄｅＢに以前経路上の１つ以上の「エンドマーカ」パケットを伝送した後、何れかのＵ−ｐｌａｎｅ／ＴＮＬ資源をソースｅＮｏｄｅＢに解除することができる。
【０２１７】
ステップ１５）サービングゲートウェイは、ＭＭＥにＭＯＤＩＦＹ  ＢＥＡＲＥＲ  ＲＥＳＰＯＮＳＥメッセージを伝送する。
【０２１８】
ステップ１６）ＭＭＥは、ＰＡＴＨ  ＳＷＩＴＣＨ  ＲＥＱＵＥＳＴ  ｍｅｓｓａｇｅを  ＰＡＴＨ  ＳＷＩＴＣＨ  ＲＥＱＵＥＳＴ  ＡＣＫＮＯＷＬＥＤＧＥで確認する。
【０２１９】
ステップ１７）ＵＥ  ＣＯＮＴＥＸＴ  ＲＥＬＥＡＳＥメッセージを伝送することで、対象ｅＮｏｄｅＢはソースｅＮｏｄｅＢにＨＯの成功を知らせ、ソースｅＮｏｄｅＢによる資源の解除をトリガする。対象ｅＮｏｄｅＢは、ＰＡＴＨ  ＳＷＩＴＣＨ  ＲＥＱＵＥＳＴ  ＡＣＫＮＯＷＬＥＤＧＥメッセージがＭＭＥから受信された後でこのメッセージを伝送する。
【０２２０】
ステップ１８）ＵＥ  ＣＯＮＴＥＸＴ  ＲＥＬＥＡＳＥメッセージを受信すると、ソースｅＮｏｄｅＢは、ＵＥコンテキストと関連した無線及びＣ−ｐｌａｎｅ関連資源を解除することができる。進行中のデータフォワーディングが続けられることができる。
【０２２１】
Ｘ２ハンドオーバがＨｅＮｏｄｅＢに係わって使用される場合及びソースＨｅＮｏｄｅＢがＨｅＮｏｄｅＢ  ＧＷに連結される場合、ＨｅＮｏｄｅＢ  ＧＷ明示コンテキスト解除表示を含めてＵＥコンテキストに係わる全ての資源を解除することができることを示すため、明示的にＧＷコンテキスト解除指示を含むＵＥ  ＣＯＮＴＥＸＴ  ＲＥＬＥＡＳＥ  ＲＥＱＵＥＳＴメッセージがソースＨｅＮｏｄｅＢによって伝送される。
【０２２２】
ここで、Ｕ−ｐｌａｎｅ処理を下記に説明する。
【０２２３】
ＥＣＭに連結されたＵＥに対するイントラ−Ｅ−ＵＴＲＡＮアクセス移動性作動の際、Ｕ−ｐｌａｎｅ処理は、ＨＯの間、データの損失を避けるため、アカウントに次のような原則を取る。
【０２２４】
−ＨＯ準備の間、Ｕ−ｐｌａｎｅトンネルは、ソースｅＮｏｄｅＢと対象ｅＮｏｄｅＢとの間に設定されることができる。アップリンクデータフォワーディングのために設定された１つのトンネルと、データフォワーディングが適用される各Ｅ−ＲＡＢに対するダウンリンクデータフォワーディングのために設定された他のトンネルとがある。ハンドオーバを行うＲＮ下のＵＥの場合には、フォワーディングトンネルがＤｅＮｏｄｅＢを通じてＲＮと対象ｅＮｏｄｅＢとの間に確立されることができる。
【０２２５】
−ＨＯ実行の間、ユーザデータはソースｅＮｏｄｅＢから対象ｅＮｏｄｅＢにフォワードされることができる。フォワーディングは、サービス及び展開依存並びに具現固有の方法で行われることができる。
【０２２６】
−ソースから対象ｅＮｏｄｅＢへのダウンリンクユーザデータのフォワーディングは、パケットがＥＰＣからソースｅＮｏｄｅＢで受信されるか、ソースｅＮｏｄｅＢバッファが空けられない限り、順に行われなければならない。
【０２２７】
−ＨＯ完了の際：
−対象ｅＮｏｄｅＢは、ＰＡＴＨ  ＳＷＩＴＣＨメッセージをＭＭＥに伝送することで、端末がアクセスを得たことを知らせ、ＭＭＥは、ＭＯＤＩＦＹ  ＢＥＡＲＥＲ  ＲＥＱＵＥＳＴメッセージをサービングゲートウェイに伝送し、Ｕ−ｐｌａｎｅ経路は、ソースｅＮｏｄｅＢから対象ｅＮｏｄｅＢにサービングゲートウェイによって変換される。
【０２２８】
−ソースｅＮｏｄｅＢは、パケットがサービングゲートウェイからソースｅＮｏｄｅＢで受信されるか、ソースｅＮｏｄｅＢバッファが空けられない限り、Ｕ−ｐｌａｎｅデータのフォワーディングを続けなければならない。
【０２２９】
ＲＬＣ−ＡＭベアラの場合：
−全体構成に係わらない正常ＨＯの際：
−インシーケンス伝達及び重複回避の際、ＰＤＣＰ  ＳＮはベアラ別で維持され、ソースｅＮｏｄｅＢは、次のＤＬ  ＰＤＣＰ  ＳＮに対する対象ｅＮｏｄｅＢを知らせることで（ソースｅＮｏｄｅＢまたはサービングゲートウェイから）未だＰＤＣＰシーケンス番号のないパケットに割り当てる。
【０２３０】
−保安同期化の際、ＨＦＮは維持され、ソースｅＮｏｄｅＢはＵＬに対する１つの基準及びＤＬ、即ち、ＨＦＮ及び対応するＳＮに対する１つの基準を対象セルに提供する。
【０２３１】
−端末及び対象ｅＮｏｄｅＢの全てにおいて、ウィンドウ基盤のメカニズムは重複検出のために必要である。
【０２３２】
−対象ｅＮｏｄｅＢにおける無線インターフェースを通じた重複の発生は、端末による対象ｅＮｏｄｅＢでのレポーティングに基づいたＰＤＣＰ  ＳＮを用いて最小化される。アップリンクにおいて、レポーティングは任意にｅＮｏｄｅＢによってベアラ別で構成され、端末が対象ｅＮｏｄｅＢに資源を与える際、先にそのレポートを伝送することによって開始する。ダウンリンクにおいて、ｅＮｏｄｅＢはベアラに対するレポートが伝送される時を決定しても良く、端末はアップリンク伝送を再開するレポートを待たない。
【０２３３】
−対象ｅＮｏｄｅＢは、受信が端末によるレポーティングを基にしたＰＤＣＰ  ＳＮを通じて認められたＰＤＣＰ  ＳＤＵを除き、ソースｅＮｏｄｅＢによってフォワードされた全てのダウンリンクＰＤＣＰ  ＳＤＵを再伝送し、優先順位を定める（即ち、対象ｅＮｏｄｅＢは、Ｓ１でデータを伝送する前にＸ２からＰＤＣＰ  ＳＮにデータを伝送する）。
【０２３４】
−端末は、受信がターゲットによってＰＤＣＰ  ＳＮ基盤報告を通じて認識されるＰＤＣＰ  ＳＤＵを除き、ターゲットｅＮｏｄｅＢＤで最終的に連続して確認されるＰＤＣＰ  ＳＤＵの次の第１ＰＤＣＰ  ＳＤＵ、例えば、ソースでＲＬＣ認識されな最も古いＰＤＣＰ  ＳＤＵから始まる全てのアップリンクＰＤＣＰ  ＳＤＵを再伝送する。
【０２３５】
−全体構成を含むＨＯの際：
−ＲＬＣ−ＵＭベアラに対する以下の説明は、ＲＬＣ−ＡＭベアラに適用される。データの損失が発生することもあり得る。
【０２３６】
ＲＬＣ−ＵＭベアラの場合：
−ＰＤＣＰ  ＳＮとＨＦＮとは、対象ｅＮｏｄｅＢで再設定される。
−ＰＤＣＰ  ＳＤＵは、対象ｅＮｏｄｅＢで再伝送されない。
【０２３７】
−対象ｅＮｏｄｅＢは、任意の場合（即ち、対象ｅＮｏｄｅＢは、Ｓ１からデータを伝送する前にＸ２からＰＤＣＰ  ＳＮにデータを伝送する）、ソースｅＮｏｄｅＢによってフォワードされた全てのダウンリンクＰＤＣＰ  ＳＤＵの優先順位を定める。
【０２３８】
−ＵＥ  ＰＤＣＰエンティティは、送信がソースセルで完了した対象セルの全てのＰＤＣＰ  ＳＤＵの再伝送を図らない。それに代えて、ＵＥ  ＰＤＣＰエンティティは他のＰＤＣＰ  ＳＤＵとの伝送を開始する。
【０２３９】
図８は、端末が複数のセルにおいてセル選択／再選択手続きを行う例示的な状況を示す。
【０２４０】
図８に示すように、アイドルモードの端末が高い速度で複数のセルを通じて移動すると、端末はセル選択／再選択手続きを行う。
【０２４１】
このような状況では、ネットワークが端末の速度を推定する必要がある。そこで、本発明は、端末が訪問セルに対する蓄積された情報である訪問セル履歴をログするようにし、ＲＲＣ連結設定の際、またはその後ネットワークに訪問セル履歴を提供することで、ネットワークが端末の速度を推定することを支援することができる。ネットワークが訪問セル履歴を基に端末の速度を計算した後、端末の速度を基に端末のパラメータを設定することができる。
【０２４２】
しかし、多すぎる情報は、ネットワークが端末の速度を推定するのに役立たないか、非効果的であり得る。言い換えれば、一部の訪問セル情報は、ネットワークが端末の速度を推定するのに役立たない。ここで、どの情報がネットワークが端末の速度を推定するのに役立てるかと、どの情報がネットワークが端末の速度を推定するのに役立たないかが明白ではない。例えば、役立つ情報は端末が訪問セルにおいて費やす時間情報であることができる。
【０２４３】
そこで、訪問セル情報は有効であるか否かを検査する必要がある。
【０２４４】
従って、本開示は解決策を提供する。例えば、１つの例示的な解決策により、端末が訪問セル履歴について要請した後、要請に対する応答として訪問セルの識別子を含む訪問セル履歴及び訪問セルに該当する時間情報を送信する。
【０２４５】
訪問セル履歴を送信するため、セル選択手続きまたはハンドオーバ手続きを行う際はいつでも、端末は訪問セル履歴を蓄積することができる。ここで、端末は訪問セル履歴が有効であるか否かを検査することができる。従って、端末がネットワークを通じて訪問セル履歴を送信するように要請される場合に、端末は有効な訪問セル情報のみを送信する。
【０２４６】
ネットワークが端末にＮ個の訪問セル情報を報告するように要請すれば、端末はネットワークにＮ個の有効な訪問セル情報を報告することができる。または、端末がＮ個よりも少ない数の有効な訪問セル情報を有すれば、端末はネットワークに全ての有効な訪問セル情報を報告する。
【０２４７】
訪問セル情報は、以下の条件を満たせば無効な情報として見なされる。
ａ）端末が該当セルに止まる時間が臨界時間未満である場合。
ｂ）端末が訪問セル情報をログした後、経過時間が臨界時間−１を超える場合。
ｃ）訪問セル履歴は、非連続訪問セル情報を含めば、有効なセル情報の２つのログ時間の間隔が臨海時間−２を超える場合。
【０２４８】
ここで、解決策はさらに詳しく後述する。
【０２４９】
図９は、本発明による例示的な解決方法を示す。
【０２５０】
ステップ１）端末は、アイドル状態でセル（再）選択手続きまたは連結状態でハンドオーバ手続きを行う。
【０２５１】
ステップ２）その後、端末は訪問セル履歴を蓄積する。ここで、端末は、予め選択された／サービングセルの訪問セル情報に対する有効性検査を行う。
【０２５２】
端末が予め選択された／サービングセルに止まる時間は臨界時間未満である場合、訪問セル情報はロギングのために無効であると見なされることができる。有効性に対する臨界時間は、ネットワークを通じて設定されることができる。または、臨界時間は予め設定した値であり、端末はネットワーク時間なしに値を知っている。
【０２５３】
または、過去にＮ個のセル再選択／ハンドオーバの前に端末が現在選択された／サービングセルを有する場合、訪問セル情報は無効であると見なされることができる。ロギングピンポンを避けるため、Ｎは臨界値である。例えば、臨界値Ｎが２である場合、端末はセルＡを選択し、セルＢを選択し、再度セルＡを選択する。このような場合、Ｂに対する事前訪問セル情報は無効である。端末が現在選択されたセル、セルＡを訪問するため、過去に２回の再選択が行われる。好ましくは、臨界値Ｎは２であることができる。
【０２５４】
訪問セル情報は有効な場合、端末は事前選択セル／サービングセルの訪問セル情報を訪問セル履歴に追加して訪問セル履歴を更新する。端末が訪問セル情報と共に選択されたセル／サービングセル及びロギング時間の選択されたＰＬＭＮをロギングする。訪問セル情報は無効であれば、端末は訪問セル履歴を更新しない。
【０２５５】
ステップ３）端末がネットワークを通じて訪問セル履歴を送信するように要請されれば、端末は訪問セル履歴を構成する各訪問セル情報に対する有効性検査の報告を行う。
【０２５６】
端末が訪問セル情報をロギングした後、経過時間が臨界時間−１を超えると、訪問セル情報は報告に対する無効として見なされることができる。
【０２５７】
訪問セル履歴は非連続訪問セル情報を含み、有効な訪問セル情報の２つのログ時間の間隔が臨界時間−２を超える場合に、訪問セル情報は報告のために無効であると見なされることができる。ここで、非連続訪問セル情報は、訪問セル情報は更新されたが、事前訪問セルに対する訪問セル情報はロギングに対して無効であるため、事前訪問セル情報は事前訪問セルに対するものではないということを意味する。
【０２５８】
臨界時間１及び２は事前設定値であるため、端末はネットワークからのシグナリングなしにこの値を知っている。または、ネットワークは、端末にこの値をシグナリングすることができる。
【０２５９】
ステップ４）端末は、無効な訪問セル情報を除いた訪問セル履歴をサービングセルに伝送する。訪問セル履歴報告の要請を受信する前に、例えば、ＲＲＣ連結設定手続き完了の際、有効性検査報告が行われることができる。
【０２６０】
訪問セル履歴は多数の訪問セル情報を含むことができる。
【０２６１】
訪問セル情報の個数は予め設定された値であるか、ネットワークを通じて設定される。
【０２６２】
訪問セル情報は、以下の情報のうち少なくとも１つ以上の情報を含む。
−グローバルセルＩＤ、及び／又は
−物理的セル、ＩＤ及び／又は
−セルタイプ、及び／又は
−端末がセルに止まる時間、及び／又は
−端末がセル再選択手続きを行ってセルを選択した時間、及び／又は
−端末がハンドオーバ手続きを行ってセルにハンドオーバした時間、及び／又は
−ハンドオーバ原因値
−セルのダウンリンク搬送波周波数
【０２６３】
ここで、端末がグローバルセルＩＤを得た場合には、訪問セル情報はグローバルセルＩＤを含む。しかし、端末がグローバルセルＩＤを得た場合には、訪問セル情報は物理的セルＩＤ及びセルのダウンリンク搬送波周波数を含む。
【０２６４】
本開示によって従来の問題を解決する手段または方法は、これまで説明したようにハードウェアまたはソフトウェアまたはその組み合わせで具現されることができる。
【０２６５】
図１１は、本発明の実施形態を具現することができる無線通信システムを示すブロック図である。
【０２６６】
端末（１００）は、プロセッサ（１０１）、メモリ（１０２）及びＲＦ部（ｒａｄｉｏ  ｆｒｅｑｕｅｎｃｙ  ｕｎｉｔ、１２３０）を含む。メモリ（１０２）はプロセッサ（１０１）と連結され、プロセッサ（１０１）の動作のために使用された多様な情報を保存するように構成される。ＲＦ部（１２３０）はプロセッサ（１０１）と連結され、無線信号を送信及び／又は受信するように構成される。プロセッサ（１０１）は提案された機能、処理及び／又は方法を具現する。説明された実施形態において、端末の動作はプロセッサ（１０１）によって具現されることができる。
【０２６７】
ｅＮｏｄｅＢ（２００）は、プロセッサ（２０１）、メモリ（２０２）及びＲＦ部（２０３）を含む。メモリ（２０２）はプロセッサ（２０１）と連結され、プロセッサ（２０１）の動作のために使用された多様な情報を保存するように構成される。ＲＦ部（２０３）はプロセッサ（２０１）と連結され、無線信号を送信及び／又は受信するように構成される。プロセッサ（２０１）は提案された機能、処理及び／又は方法を具現する。説明された実施形態において、ｅＮｏｄｅＢの動作はプロセッサ（２０１）によって具現されることができる。
【０２６８】
プロセッサは、ＡＳＩＣ（ａｐｐｌｉｃａｔｉｏｎ−ｓｐｅｃｉｆｉｃ  ｉｎｔｅｇｒａｔｅｄ  ｃｉｒｃｕｉｔ）、他のチップセット、論理回路及び／又はデータ処理装置を含むことができる。メモリは、ＲＯＭ（ｒｅａｄ−ｏｎｌｙ  ｍｅｍｏｒｙ）、ＲＡＭ（ｒａｎｄｏｍ  ａｃｃｅｓｓ  ｍｅｍｏｒｙ）、フラッシュメモリ、メモリカード、保存媒体及び／又は他の保存装置を含むことができる。ＲＦ部は、無線信号を処理するためのベースバンド回路を含むことができる。実施形態がソフトウェアに具現される際、上述した技法は上述した機能を行うモジュール（過程、機能など）に具現されることができる。モジュールはメモリに保存され、プロセッサによって実行されることができる。メモリはプロセッサ内部または外部にあり得、良く知られた多様な手段でプロセッサと連結されることができる。
【０２６９】
上述した例示的なシステムにおいて、方法は一連のステップまたはブロックとして流れ図を基に説明されているが、本発明はステップの手順に限定されるものではなく、何れかのステップは上述したことと異なる手順でまたは同時に発生することができる。また、当業者であれば、流れ図に示されたステップが排他的ではなく、他のステップが含まれるか、流れ図の１つまたはそれ以上のステップが本発明の範囲に影響を及ぼすことなく削除される可能性があることを理解することができるはずである。
【図１】
2016524419.tif 000009
【図２】
2016524419.tif 000010
【図３】
2016524419.tif 000011
【図４】
2016524419.tif 000012
【図５】
2016524419.tif 000013
【図６】
2016524419.tif 000014
【図７ａ】
2016524419.tif 000015
【図７ｂ】
2016524419.tif 000016
【図８】
2016524419.tif 000017
【図９】
2016524419.tif 000018
【図１０】
2016524419.tif 000019
【手続補正書】
【提出日】平成27年12月10日(2015.12.10)
【手続補正２】
【補正対象書類名】明細書
【補正対象項目名】０００１
【補正方法】変更
【補正の内容】
【０００１】
本発明は無線通信に関し、より詳しくは、訪問セル履歴伝送方法及びその無線装備に関する。
【手続補正３】
【補正対象書類名】明細書
【補正対象項目名】００１１
【補正方法】変更
【補正の内容】
【００１１】
しかし、端末がグローバルセル識別子を得ていない場合は、セル識別子は物理的セル識別子を含む。また、端末がグローバルセル識別子を得ていない場合は、訪問セル履歴は周波数情報をさらに含む。
【手続補正４】
【補正対象書類名】明細書
【補正対象項目名】００１３
【補正方法】変更
【補正の内容】
【００１３】
上記方法は、端末がセル再選択手続きまたはハンドオーバ手続きを行う際はいつでも訪問セル履歴を蓄積するステップをさらに含むことができる。
【手続補正５】
【補正対象書類名】明細書
【補正対象項目名】００１４
【補正方法】変更
【補正の内容】
【００１４】
上記方法は、訪問セル履歴が有効であるか否かを検査するステップをさらに含むことができる。
【手続補正６】
【補正対象書類名】明細書
【補正対象項目名】００２０
【補正方法】変更
【補正の内容】
【００２０】
添付された図面を参考しながら、実施形態による訪問セル履歴送信方法及びその無線装置について詳しく説明する。
【手続補正７】
【補正対象書類名】特許請求の範囲
【補正対象項目名】全文
【補正方法】変更
【補正の内容】
【特許請求の範囲】
【請求項１】
端末により実行されるアップリンクメッセージの伝送方法であって、
前記端末が訪問セル履歴に関する要請を受信するステップと、
前記端末が前記要請に対する応答として前記訪問セル履歴を送信するステップと、
を有し、
前記訪問セル履歴は、訪問セルの識別子、前記訪問セルに対応する時間情報、及び前記訪問セルに対応する周波数情報を含むことを特徴とする方法。
【請求項２】
前記時間情報は、前記端末が前記訪問セルの前記識別子によって識別された各訪問セルに滞在した時間区間を示す、請求項１に記載の方法。
【請求項３】
前記訪問セルの前記識別子は、物理的セル識別子である、請求項１に記載の方法。
【請求項４】
前記端末がグローバルセル識別子を得ていない場合、物理的セル識別子は前記訪問セル履歴に含まれる、請求項１に記載の方法。
【請求項５】
前記訪問セルに対応する前記時間情報は、
前記端末が前記訪問セルに滞在した時間、
前記端末がセル再選択手続きを実行したことにより、前記訪問セルを選択した時間、
前記端末がハンドオーバ手続きを実行したことにより、前記訪問セルにハンドオーバした時間、
のうちの少なくとも１つを含む、請求項１に記載の方法。
【請求項６】
前記端末がセル再選択手続きまたはハンドオーバ手続きを実行するときはいつでも、前記訪問セル履歴を蓄積するステップをさらに含む、請求項１に記載の方法。
【請求項７】
前記訪問セル履歴が有効であるか無効であるかを検査するステップをさらに含み、
前記送信するステップにおいて、有効な訪問セル履歴のみが送信される、請求項１に記載の方法。
【請求項８】
前記端末が対応するセルに滞在した時間が第１しきい値より少ない場合、または、
前記端末が前記訪問セル情報をロギングしてからの経過時間が第２しきい値を超える場合、
前記端末は訪問セル履歴が無効であると見なす、請求項７に記載の方法。
【請求項９】
アップリンクメッセージを伝送する端末において、
訪問セル履歴に関する要請を受信するように構成された送受信機と、
前記要請に応答して、前記訪問セル履歴を送信するよう前記送受信機を制御するように構成されたプロセッサと、を含み、
前記訪問セル履歴は、訪問セルの識別子、前記訪問セルに対応する時間情報、及び前記訪問セルに対応する周波数情報を含むことを特徴とする端末。
【請求項１０】
前記時間情報は、前記端末が前記訪問セルの前記識別子によって識別された各訪問セルに滞在した時間区間を示す、請求項９に記載の端末。
【請求項１１】
前記訪問セルの前記識別子は、物理的セル識別子である、請求項９に記載の端末。
【請求項１２】
前記端末がグローバルセル識別子を得ていない場合、物理的セル識別子は前記訪問セル履歴に含まれる、請求項９に記載の端末。
【請求項１３】
前記プロセッサは、前記訪問セル履歴が有効であるか無効であるかを検査し、有効な訪問セル履歴のみが送信されるよう前記送受信機を制御するようにさらに構成される、請求項９に記載の端末。
【請求項１４】
前記端末が対応するセルに滞在した時間が第１しきい値より少ない場合、または、
前記端末が前記訪問セル情報をロギングしてからの経過時間が第２しきい値を超える場合、
前記端末は訪問セル履歴が無効であると見なす、請求項１３に記載の端末。
【請求項１５】
ネットワークにより実行されるアップリンクメッセージの受信方法であって、
前記ネットワークが訪問セル履歴に関する要請を端末に送信するステップと、
前記ネットワークが前記要請に対する応答として前記訪問セル履歴を前記端末から受信するステップと、
を有し、
前記訪問セル履歴は、訪問セルの識別子、前記訪問セルに対応する時間情報、及び前記訪問セルに対応する周波数情報を含むことを特徴とする方法。
【請求項１６】
前記時間情報は、前記端末が前記訪問セルの前記識別子によって識別された各訪問セルに滞在した時間区間を示す、請求項１５に記載の方法。
【請求項１７】
前記訪問セルの前記識別子は、物理的セル識別子である、請求項１５に記載の方法。
【請求項１８】
前記端末がグローバルセル識別子を得ていない場合、物理的セル識別子は前記訪問セル履歴に含まれる、請求項１５に記載の方法。
【請求項１９】
前記訪問セルに対応する前記時間情報は、
前記端末が前記訪問セルに滞在した時間、
前記端末がセル再選択手続きを実行したことにより、前記訪問セルを選択した時間、
前記端末がハンドオーバ手続きを実行したことにより、前記訪問セルにハンドオーバした時間、
のうちの少なくとも１つを含む、請求項１５に記載の方法。
【請求項２０】
前記受信するステップにおいて、有効な訪問セル履歴のみが受信される、請求項１５に記載の方法。
【国際調査報告】
2016524419.tif 000020
2016524419.tif 000021
2016524419.tif 000022
2016524419.tif 000023
2016524419.tif 000024
2016524419.tif 000025
2016524419.tif 000026